(57)【要約】  一つの実施形態に係る無線端末は、時分割複信方式の無線通信を基地局と行う制御部を備える。前記制御部は、前記基地局から下りリンク無線信号を受信する処理と、前記基地局から上りリンク無線リソースがデータ送信用に割り当てられなくても、前記下りリンク無線信号の受信に成功したか否かを示す応答情報を上りリンク制御チャネルリソースとは異なる上りリンク無線リソースを用いて前記基地局に送信する特定の送信処理と、を行う。
2017038337.tif 000002
【特許請求の範囲】
【請求項１】
時分割複信方式の無線通信を基地局と行う制御部を備え、
前記制御部は、
前記基地局から下りリンク無線信号を受信する処理と、
前記基地局から上りリンク無線リソースがデータ送信用に割り当てられなくても、前記下りリンク無線信号の受信に成功したか否かを示す応答情報を上りリンク制御チャネルリソースとは異なる上りリンク無線リソースを用いて前記基地局に送信する特定の送信処理と、を行う無線端末。
【請求項２】
前記制御部は、
前記受信する処理において、前記基地局から割り当てられた下りリンクリソースブロックを用いて、前記下りリンク無線信号を受信し、
前記特定の送信処理において、周波数方向において前記下りリンクリソースブロックと重複する上りリンク無線リソースを用いて前記応答情報を送信する請求項１に記載の無線端末。
【請求項３】
前記特定の送信処理は、前記応答情報の送信に用いる前記上りリンク無線リソースを、時間方向においてサブフレーム単位又はスロット単位ではなくシンボル単位で特定する処理を含む請求項１に記載の無線端末。
【請求項４】
前記制御部は、前記基地局からの指示に基づいて前記特定の送信処理を行う請求項１に記載の無線端末。
【請求項５】
前記基地局からの指示には、前記応答情報を送信するための上りリンク無線リソースを指定する情報が含まれている請求項４に記載の無線端末。
【請求項６】
前記上りリンク無線リソースは、サウンディング参照信号リソースを含み、
前記特定の送信処理は、前記周波数方向において前記下りリンクリソースブロックと重複する前記サウンディング参照信号リソースを用いて、前記応答情報を含むサウンディング参照信号を前記基地局に送信する処理を含む請求項２に記載の無線端末。
【請求項７】
前記応答情報は、前記サウンディング参照信号の信号系列又は前記サウンディング参照信号のリソース配置パターンにより、前記下りリンク無線信号の受信に成功したか否かが示されるものである請求項６に記載の無線端末。
【請求項８】
前記特定の送信処理は、複数のサブキャリアを用いて、前記応答情報を含む前記サウンディング参照信号を前記基地局に送信する処理を含み、
前記複数のサブキャリアには、２以上のサブキャリアに相当する周波数間隔が設けられる請求項６に記載の無線端末。
【請求項９】
前記上りリンク無線リソースは、物理上りリンク共有チャネルリソースを含み、
前記特定の送信処理は、前記周波数方向において前記下りリンクリソースブロックと重複する前記物理上りリンク共有チャネルリソースを用いて、前記応答情報とは別の復調参照信号又は前記応答情報を含む復調参照信号を送信する処理を含む請求項２に記載の無線端末。
【請求項１０】
時分割複信方式の無線通信を無線端末と行う制御部を備え、
前記制御部は、特定の送信処理を行わせるための指示を前記無線端末に送信する処理を行い、
前記特定の送信処理は、前記無線端末が、自基地局から割り当てられた下りリンクリソースブロックと周波数方向において重複する上りリンク無線リソースを用いて応答情報を前記基地局に送信する処理であり、
前記応答情報は、前記下りリンクリソースブロックを用いて送信された下りリンク無線信号の受信に成功したか否かが示される情報である基地局。
【請求項１１】
時分割複信方式の無線通信を基地局と行う制御部を備え、
前記制御部は、
前記基地局から下りリンク無線信号を受信する処理と、
時間方向においてサブフレーム単位又はスロット単位ではなくシンボル単位で確保された上りリンク無線リソースを用いて、前記下りリンク無線信号の受信に成功したか否かを示す応答情報を前記基地局に送信する処理と、を行う無線端末。
【請求項１２】
時分割複信方式の無線通信を基地局と行う制御部を備え、
前記制御部は、
前記基地局から下りリンク無線信号を受信する処理と、
前記下りリンク無線信号の受信に成功したか否かを示す応答情報を含む参照信号を前記基地局に送信する処理と、を行い、
前記参照信号は、サウンディング参照信号又は復調参照信号である無線端末。
【請求項１３】
時分割複信方式の無線通信を基地局と行う制御部を備え、
前記制御部は、上りリンク無線信号の送信に用いるリソースブロック及び／又はコンポーネントキャリアをサブフレーム単位又はスロット単位ではなく所定数のシンボル単位で切り替えながら、前記上りリンク無線信号を前記基地局に送信する処理を行う無線端末。
【請求項１４】
前記所定数は、１つのスロット区間を構成するシンボル数よりも少ない数である請求項１３に記載の無線端末。
【請求項１５】
前記上りリンク無線信号は、サウンディング参照信号である請求項１３に記載の無線端末。
【請求項１６】
前記基地局から自無線端末に複数のコンポーネントキャリアが設定された場合、前記制御部は、前記複数のコンポーネントキャリアの範囲内で、前記上りリンク無線信号の送信に用いるコンポーネントキャリアを前記所定数のシンボル単位で切り替えながら、前記上りリンク無線信号を前記基地局に送信する処理を行う請求項１３に記載の無線端末。
【請求項１７】
前記制御部は、切り替え元のコンポーネントキャリアでの送信と切り替え後のコンポーネントキャリアでの送信との間に、１又は複数シンボル分の切り替えギャップを設ける請求項１６に記載の無線端末。
【請求項１８】
前記制御部は、前記複数のコンポーネントキャリア上での送信タイミングが重複しないように、前記上りリンク無線信号の送信に用いるコンポーネントキャリアを前記所定数のシンボル単位で切り替えながら、前記上りリンク無線信号を前記基地局に送信する処理を行う請求項１６に記載の無線端末。
【請求項１９】
前記制御部は、
前記上りリンク無線信号の送信に関する送信パラメータを設定する情報を前記基地局から受信する処理と、
前記基地局から設定された前記送信パラメータに従って前記上りリンク無線信号を送信する処理と、を行い、
前記送信パラメータは、前記上りリンク無線信号の送信に用いるコンポーネントキャリア、前記上りリンク無線信号の送信に用いるリソースブロック、前記上りリンク無線信号の送信に用いるサブフレーム、前記上りリンク無線信号の送信に用いるシンボルのうち、少なくとも１つを含む請求項１３に記載の無線端末。
【請求項２０】
前記送信パラメータは、一のコンポーネントキャリアでの送信と他のコンポーネントキャリアでの送信との間に設ける切り替えギャップを設定するパラメータを含み、
前記制御部は、前記切り替えギャップの間は送信を停止するとともに、前記一のコンポーネントキャリアから前記他のコンポーネントキャリアへの切り替えを行う請求項１９に記載の無線端末。
【請求項２１】
前記送信パラメータは、複数のコンポーネントキャリアに亘る周波数ホッピングのホッピングパターンを設定するパラメータを含み、
前記制御部は、前記ホッピングパターンに従って前記複数のコンポーネントキャリアに亘る前記周波数ホッピングにより前記上りリンク無線信号を送信する処理を行う請求項１９に記載の無線端末。
【請求項２２】
前記送信パラメータは、前記上りリンク無線信号の送信に用いるシンボルの間隔を設定するパラメータを含み、
前記制御部は、前記間隔に従って前記上りリンク無線信号を間欠的に送信する処理を行う請求項１９に記載の無線端末。
【請求項２３】
前記上りリンク無線信号は、サウンディング参照信号であり、
前記送信パラメータは、コンポーネントキャリア群を設定するパラメータを含み、
前記コンポーネントキャリア群は、
上りリンクデータ及び前記サウンディング参照信号の送信に用いられる第１のコンポーネントキャリアと、
前記上りリンクデータの送信に用いられずに前記サウンディング参照信号の送信に用いられる第２のコンポーネントキャリアと、を含み、
前記制御部は、前記第１のコンポーネントキャリア及び前記第２のコンポーネントキャリアで前記サウンディング参照信号の同時送信を行わないよう制御する請求項１９に記載の無線端末。
【請求項２４】
前記制御部は、一のコンポーネントキャリアでの送信と他のコンポーネントキャリアでの送信との間の切り替えに要する時間を示す能力情報、又は自無線端末に設定を要求する切り替えギャップを示す要求情報を前記基地局に通知する請求項１３に記載の無線端末。
【請求項２５】
前記制御部は、
前記上りリンク無線信号を周期的に送信する処理と、
前記上りリンク無線信号の送信の停止を指示する情報を前記基地局から受信する処理と、
前記基地局からの指示に応じて、前記上りリンク無線信号の送信を停止する処理と、を行う請求項１３に記載の無線端末。
【請求項２６】
前記上りリンク無線信号は、サウンディング参照信号であり、
前記制御部は、
第１のコンポーネントキャリアで前記サウンディング参照信号を送信する処理と、
第２のコンポーネントキャリアで上りリンクデータを送信する処理と、
前記サウンディング参照信号を送信すべき第１のシンボルと前記上りリンクデータを送信すべき第２のシンボルとが時間方向において隣接する場合、前記第１のシンボル及び前記第２のシンボルのうち一方の送信を停止する処理と、を行う請求項１３に記載の無線端末。
【請求項２７】
無線端末との無線通信を行う制御部を備え、
前記制御部は、
前記無線端末からランダムアクセスプリアンブルを受信する処理と、
前記ランダムアクセスプリアンブルに対応するランダムアクセス応答を、無線端末個別の復調用参照信号と共に前記無線端末に送信する処理と、を行う基地局。
【請求項２８】
前記制御部は、
前記ランダムアクセスプリアンブルを用いたチャネル推定結果に基づいて、前記無線端末に対する下りリンクの送信ウェイトを導出する処理と、
前記下りリンクの送信ウェイトを用いて、前記ランダムアクセス応答と共に前記無線端末個別の復調用参照信号を前記無線端末に送信する処理と、を行う請求項２７に記載の基地局。
【請求項２９】
前記ランダムアクセス応答の送信に用いる下りリンクリソースブロックは、前記ランダムアクセスプリアンブルの送信に用いられた上りリンクリソースブロックと周波数方向において重複する請求項２７に記載の基地局。
【請求項３０】
前記制御部は、前記下りリンクリソースブロックの割り当て情報を前記無線端末に送信することなく、前記ランダムアクセス応答を前記無線端末に送信する処理を行う請求項２９に記載の基地局。
【発明の詳細な説明】
【技術分野】
【０００１】
本発明は、移動通信システムにおいて用いられる無線端末及び基地局に関する。
【背景技術】
【０００２】
近年、現在の第３世代及び第４世代移動通信システムに比べて大幅に通信容量及び通信速度を向上させた第５世代移動通信システムを実現するための研究・開発が盛んに行われている。
【発明の概要】
【０００３】
一つの実施形態に係る無線端末は、時分割複信方式の無線通信を基地局と行う制御部を備える。前記制御部は、前記基地局から下りリンク無線信号を受信する処理と、前記基地局から上りリンク無線リソースがデータ送信用に割り当てられなくても、前記下りリンク無線信号の受信に成功したか否かを示す応答情報を上りリンク制御チャネルリソースとは異なる上りリンク無線リソースを用いて前記基地局に送信する特定の送信処理と、を行う。
【０００４】
一つの実施形態に係る基地局は、時分割複信方式の無線通信を無線端末と行う制御部を備える。前記制御部は、特定の送信処理を行わせるための指示を前記無線端末に送信する処理を行う。前記特定の送信処理は、前記無線端末が、前記基地局から割り当てられた下りリンクリソースブロックと周波数方向において重複する上りリンク無線リソースを用いて応答情報を前記基地局に送信する処理である。前記応答情報は、前記下りリンクリソースブロックを用いて送信された下りリンク無線信号の受信に成功したか否かを示す情報である。
【０００５】
一つの実施形態に係る無線端末は、時分割複信方式の無線通信を基地局と行う制御部を備える。前記制御部は、前記基地局から下りリンク無線信号を受信する処理と、時間方向においてサブフレーム単位又はスロット単位ではなくシンボル単位で確保された上りリンク無線リソースを用いて、前記下りリンク無線信号の受信に成功したか否かを示す応答情報を前記基地局に送信する処理と、を行う。
【０００６】
一つの実施形態に係る無線端末は、時分割複信方式の無線通信を基地局と行う制御部を備える。前記制御部は、前記基地局から下りリンク無線信号を受信する処理と、前記下りリンク無線信号の受信に成功したか否かを示す応答情報を含む参照信号を前記基地局に送信する処理と、を行う。前記参照信号は、サウンディング参照信号又は復調参照信号である。
【０００７】
一つの実施形態に係る無線端末は、時分割複信方式の無線通信を基地局と行う制御部を備える。前記制御部は、上りリンク無線信号の送信に用いるリソースブロック及び／又はコンポーネントキャリアをサブフレーム単位又はスロット単位ではなく所定数のシンボル単位で切り替えながら、前記上りリンク無線信号を前記基地局に送信する処理を行う。
【０００８】
一つの実施形態に係る基地局は、無線端末との無線通信を行う制御部を備える。前記制御部は、前記無線端末からランダムアクセスプリアンブルを受信する処理と、前記ランダムアクセスプリアンブルに対応するランダムアクセス応答を、無線端末個別の復調用参照信号と共に前記無線端末に送信する処理と、を行う。
【図面の簡単な説明】
【０００９】
【図１】ＬＴＥシステム（移動通信システム）の構成を示す図である。
【図２】ＵＥ（無線端末）のブロック図である。
【図３】ｅＮＢ（基地局）のブロック図である。
【図４】ＬＴＥシステムにおける無線インターフェイスのプロトコルスタック図である。
【図５】ＬＴＥシステムにおいて用いられる無線フレームの構成図である。
【図６】１つの上りリンクサブフレームに含まれる参照信号の一例を示す図である。
【図７】第１実施形態に係る上下リンクのチャネルの可逆性を利用して下りリンクＣＳＩを推定する方法の一例を示す図である。
【図８】第１実施形態に係るＳＲＳリソースを用いたＡＣＫ／ＮＡＣＫ送信の一例を示す図である。
【図９】第１実施形態に係るＰＵＳＣＨリソースを用いたＡＣＫ／ＮＡＣＫ送信の一例を示す図である。
【図１０】第１実施形態に係る動作シーケンスの一例を示すシーケンス図である。
【図１１】第２実施形態に係る動作の一例を示す図である。
【図１２】第２実施形態の変更例１に係るＣＣ個別設定の一例を示す図である。
【図１３】第２実施形態の変更例１に係る複数ＣＣ一括設定の一例を示す図である。
【図１４】第２実施形態の変更例２を示す図である。
【図１５】第２実施形態の変更例３を示す第１の図である。
【図１６】第２実施形態の変更例３を示す第２の図である。
【図１７】第２実施形態の変更例６を示す図である。
【図１８】一般的なランダムアクセス手順を示すシーケンス図である。
【図１９】第３実施形態に係る動作の一例を示すシーケンス図である。
【発明を実施するための形態】
【００１０】
［実施形態の概要］
第１実施形態に係る無線端末は、時分割複信方式の無線通信を基地局と行う制御部を備える。前記制御部は、前記基地局から下りリンク無線信号を受信する処理と、前記基地局から上りリンク無線リソースがデータ送信用に割り当てられなくても、前記下りリンク無線信号の受信に成功したか否かを示す応答情報を上りリンク制御チャネルリソースとは異なる上りリンク無線リソースを用いて前記基地局に送信する特定の送信処理と、を行う。
【００１１】
第１実施形態において、前記制御部は、前記受信する処理において、前記基地局から割り当てられた下りリンクリソースブロックを用いて、前記下りリンク無線信号を受信し、前記特定の送信処理において、周波数方向において前記下りリンクリソースブロックと重複する上りリンク無線リソースを用いて前記応答情報を送信する。
【００１２】
第１実施形態において、前記特定の送信処理は、前記応答情報の送信に用いる前記上りリンク無線リソースを、時間方向においてサブフレーム単位又はスロット単位ではなくシンボル単位で特定する処理を含んでもよい。
【００１３】
第１実施形態において、前記制御部は、前記基地局からの指示に基づいて前記特定の送信処理を行ってもよい。
【００１４】
第１実施形態において、前記基地局からの指示には、前記応答情報を送信するための上りリンク無線リソースを指定する情報が含まれていてもよい。
【００１５】
第１実施形態において、前記上りリンク無線リソースは、サウンディング参照信号リソースを含み、前記特定の送信処理は、前記周波数方向において前記下りリンクリソースブロックと重複する前記サウンディング参照信号リソースを用いて、前記応答情報を含むサウンディング参照信号を前記基地局に送信する処理を含んでもよい。
【００１６】
第１実施形態において、前記応答情報は、前記サウンディング参照信号の信号系列又は前記サウンディング参照信号のリソース配置パターンにより、前記下りリンク無線信号の受信に成功したか否かが示されてもよい。
【００１７】
第１実施形態において、前記特定の送信処理は、複数のサブキャリアを用いて、前記応答情報を含む前記サウンディング参照信号を前記基地局に送信する処理を含み、前記複数のサブキャリアには、２以上のサブキャリアに相当する周波数間隔が設けられてもよい。
【００１８】
第１実施形態において、前記上りリンク無線リソースは、物理上りリンク共有チャネルリソースを含み、前記特定の送信処理は、前記周波数方向において前記下りリンクリソースブロックと重複する前記物理上りリンク共有チャネルリソースを用いて、前記応答情報とは別の復調参照信号又は前記応答情報を含む復調参照信号を送信する処理を含んでもよい。
【００１９】
第１実施形態に係る基地局は、時分割複信方式の無線通信を無線端末と行う制御部を備える。前記制御部は、特定の送信処理を行わせるための指示を前記無線端末に送信する処理を行う。前記特定の送信処理は、前記無線端末が、前記基地局から割り当てられた下りリンクリソースブロックと周波数方向において重複する上りリンク無線リソースを用いて応答情報を前記基地局に送信する処理である。前記応答情報は、前記下りリンクリソースブロックを用いて送信された下りリンク無線信号の受信に成功したか否かが示される情報である。
【００２０】
第１実施形態に係る無線端末は、時分割複信方式の無線通信を基地局と行う制御部を備える。前記制御部は、前記基地局から下りリンク無線信号を受信する処理と、時間方向においてサブフレーム単位又はスロット単位ではなくシンボル単位で確保された上りリンク無線リソースを用いて、前記下りリンク無線信号の受信に成功したか否かを示す応答情報を前記基地局に送信する処理と、を行う。
【００２１】
第１実施形態に係る無線端末は、時分割複信方式の無線通信を基地局と行う制御部を備える。前記制御部は、前記基地局から下りリンク無線信号を受信する処理と、前記下りリンク無線信号の受信に成功したか否かを示す応答情報を含む参照信号を前記基地局に送信する処理と、を行う。前記参照信号は、サウンディング参照信号又は復調参照信号である。
【００２２】
第２実施形態に係る無線端末は、時分割複信方式の無線通信を基地局と行う制御部を備える。前記制御部は、上りリンク無線信号の送信に用いるリソースブロック及び／又はコンポーネントキャリアをサブフレーム単位又はスロット単位ではなく所定数のシンボル単位で切り替えながら、前記上りリンク無線信号を前記基地局に送信する処理を行う。
【００２３】
第２実施形態において、前記所定数は、１つのスロット区間を構成するシンボル数よりも少ない数であってもよい。
【００２４】
第２実施形態において、前記基地局から自無線端末に複数のコンポーネントキャリアが設定された場合、前記制御部は、前記複数のコンポーネントキャリアの範囲内で、前記上りリンク無線信号の送信に用いるコンポーネントキャリアを前記所定数のシンボル単位で切り替えながら、前記上りリンク無線信号を前記基地局に送信する処理を行ってもよい。
【００２５】
第２実施形態において、前記制御部は、前記複数のコンポーネントキャリア上での送信タイミングが重複しないように、前記上りリンク無線信号の送信に用いるコンポーネントキャリアを前記所定数のシンボル単位で切り替えながら、前記上りリンク無線信号を前記基地局に送信する処理を行ってもよい。また、複数のコンポーネントキャリア間の切り替えに伴う時間差を補償するために、切り替え元のコンポーネントキャリアでの送信と、切り替え後のコンポーネントキャリアでの送信との間に、所定数のシンボル分のギャップを設けてもよい。
【００２６】
第３実施形態に係る基地局は、無線端末との無線通信を行う制御部を備える。前記制御部は、前記無線端末からランダムアクセスプリアンブルを受信する処理と、前記下りリンクの送信ウェイトを用いて、前記ランダムアクセスプリアンブルに対応するランダムアクセス応答を、無線端末個別の復調用参照信号と共に前記無線端末に送信する処理と、を行う。
【００２７】
第３実施形態において、前記制御部は、前記ランダムアクセスプリアンブルを用いたチャネル推定結果に基づいて、前記無線端末に対する下りリンクの送信ウェイトを導出する処理と、前記下りリンクの送信ウェイトを用いて、前記ランダムアクセス応答と共に前記無線端末個別の復調用参照信号を前記無線端末に送信する処理と、を行ってもよい。
【００２８】
第３実施形態において、前記ランダムアクセス応答の送信に用いる下りリンクリソースブロックは、前記ランダムアクセスプリアンブルの送信に用いられたリソースブロックと周波数方向において重複してもよい。
【００２９】
第３実施形態において、前記制御部は、前記下りリンクリソースブロックの割り当て情報を前記無線端末に送信することなく、前記ランダムアクセス応答を前記無線端末に送信する処理を行ってもよい。
【００３０】
［移動通信システムの概要］
以下において、実施形態に係る移動通信システムであるＬＴＥ（Ｌｏｎｇ  Ｔｅｒｍ  Ｅｖｏｌｕｔｉｏｎ）システムの概要について説明する。ＬＴＥシステムは、３ＧＰＰ（３ｒｄ  Ｇｅｎｅｒａｔｉｏｎ  Ｐａｒｔｎｅｒｓｈｉｐ  Ｐｒｏｊｅｃｔ）において仕様が策定されている移動通信システムである。
【００３１】
（移動通信システムの構成）
先ず、ＬＴＥシステムの構成について説明する。図１は、ＬＴＥシステムの構成を示す図である。図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３２】
ＵＥ１００は、無線端末に相当する。ＵＥ１００は、移動型の通信装置であり、ｅＮＢ２００との無線通信を行う。
【００３３】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。
【００３４】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる他に、ＵＥ１００との無線通信を行う機能を示す用語としても用いられる。
【００３５】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。
【００３６】
（無線端末の構成）
次に、ＵＥ１００（無線端末）の構成について説明する。図２は、ＵＥ１００のブロック図である。図２に示すように、ＵＥ１００は、受信部１１０、送信部１２０、及び制御部１３０を備える。
【００３７】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００３８】
制御部１３０は、ＵＥ１００における各種の制御を行う。制御部１３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、上述した処理及び後述する処理を実行する。
【００３９】
（基地局の構成）
次に、ｅＮＢ２００（基地局）の構成について説明する。図３は、ｅＮＢ２００のブロック図である。図３に示すように、ｅＮＢ２００は、送信部２１０、受信部２２０、制御部２３０、及びバックホール通信部２４０を備える。
【００４０】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００４１】
制御部２３０は、ｅＮＢ２００における各種の制御を行う。制御部２３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、上述した処理及び後述する処理を実行する。
【００４２】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に用いられる。
【００４３】
（無線インターフェイスの構成）
次に、ＬＴＥシステムにおける無線インターフェイスの構成について説明する。図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４４】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御情報が伝送される。
【００４５】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御情報が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００４６】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御情報が伝送される。
【００４７】
ＰＤＣＰ層は、ヘッダ圧縮・伸張、及び暗号化・復号化を行う。
【００４８】
ＲＲＣ層は、制御情報を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードであり、そうでない場合、ＵＥ１００はＲＲＣアイドルモードである。
【００４９】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００５０】
（ＬＴＥ下位層の概要）
次に、ＬＴＥ下位層の概要について説明する。図５は、ＬＴＥシステムにおいて用いられる無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５１】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００５２】
下りリンクにおいて、各サブフレームの先頭数シンボルの区間は、主に下りリンク制御情報を伝送するための物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）として用いられる領域である。ＰＤＣＣＨの詳細については後述する。また、各サブフレームの残りの部分は、主に下りリンクデータを伝送するための物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）として用いることができる領域である。
【００５３】
ｅＮＢ２００は、ＰＤＣＣＨを用いて下りリンク制御情報（ＤＣＩ）をＵＥ１００に送信し、ＰＤＳＣＨを用いて下りリンクデータをＵＥ１００に送信する。ＰＤＣＣＨが搬送する下りリンク制御情報は、上りリンクＳＩ（Ｓｃｈｅｄｕｌｉｎｇ  Ｉｎｆｏｒｍａｔｉｏｎ）、下りリンクＳＩ、ＴＰＣビットを含む。上りリンクＳＩは上りリンク無線リソースの割当てに関するスケジューリング情報（ＵＬ  ｇｒａｎｔ）であり、下りリンクＳＩは、下りリンク無線リソースの割当てに関するスケジューリング情報である。ＴＰＣビットは、上りリンクの送信電力の増減を指示する情報である。ｅＮＢ２００は、下りリンク制御情報の送信先のＵＥ１００を識別するために、送信先のＵＥ１００の識別子（ＲＮＴＩ：Ｒａｄｉｏ  Ｎｅｔｗｏｒｋ  Ｔｅｍｐｏｒａｒｙ  ＩＤ）でスクランブリングしたＣＲＣビットを下りリンク制御情報に含める。各ＵＥ１００は、自ＵＥ宛ての可能性がある下りリンク制御情報について、ＰＤＣＣＨをブラインド復号（Ｂｌｉｎｄ  ｄｅｃｏｄｉｎｇ）し、自ＵＥ宛の下りリンク制御情報を検出する。ＰＤＳＣＨは、下りリンクＳＩが示す下りリンク無線リソース（リソースブロック）により下りリンクデータを搬送する。
【００５４】
上りリンクにおいて、各サブフレームにおける周波数方向の両端部は、主に上りリンク制御情報を伝送するための物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）として用いられる領域である。各サブフレームにおける残りの部分は、主に上りリンクデータを伝送するための物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）として用いることができる領域である。
【００５５】
ＵＥ１００は、基本的には、ＰＵＣＣＨを用いて上りリンク制御情報（ＵＣＩ）をｅＮＢ２００に送信し、ＰＵＳＣＨを用いて上りリンクデータをｅＮＢ２００に送信する。但し、ＵＥ１００は、ＰＵＳＣＨ割り当てがある場合、ＰＵＳＣＨを用いて上りリンク制御情報をｅＮＢ２００に送信し得る。ＰＵＣＣＨが運搬する上りリンク制御情報は、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、スケジューリング要求（ＳＲ：Ｓｃｈｅｄｕｌｉｎｇ  Ｒｅｑｕｅｓｔ）、ＨＡＲＱ  ＡＣＫ／ＮＡＣＫを含み得る。ＣＱＩは、下りリンクのチャネル品質を示すインデックスであり、下りリンク伝送に用いるべきＭＣＳの決定等に用いられる。ＰＭＩは、下りリンクの伝送のために用いることが望ましいプレコーダマトリックスを示すインデックスである。ＲＩは、下りリンクの伝送に用いることが可能なレイヤ数（ストリーム数）を示すインデックスである。ＳＲは、ＰＵＳＣＨリソースの割り当てを要求する情報である。ＨＡＲＱ  ＡＣＫ／ＮＡＣＫは、下りリンクデータの受信に成功したか否かを示す応答情報である。
【００５６】
（上りリンクの参照信号）
次に、上りリンクの参照信号について説明する。ＵＥ１００は、参照信号をｅＮＢ２００に送信する。ｅＮＢ２００は、ＵＥ１００から受信した参照信号に基づいて、上りリンクのチャネル特性の推定（チャネル推定）を行う。
【００５７】
図６は、１つの上りリンクサブフレームに含まれる参照信号の一例を示す図である。なお、図６において、前半スロット及び後半スロットを分離して図示しているが、実際には前半スロット及び後半スロットは連続していることに留意すべきである。
【００５８】
図６に示すように、１サブフレームの最終ＳＣ−ＦＤＭＡシンボル（シンボル番号１３）には、サウンディング参照信号（ＳＲＳ）が配置される。ＵＥ１００は、ｅＮＢ２００からＲＲＣシグナリングにより通知される設定情報に基づいてＳＲＳをｅＮＢ２００に送信する。ｅＮＢ２００は、ＵＥ１００から受信するＳＲＳに基づいてチャネル推定を行い、チャネル推定結果に基づいて上りリンクのスケジューリング等を行う。
【００５９】
また、各スロットの中央（シンボル番号３と１０）の１ＳＣ−ＦＤＭＡシンボルには、復調参照信号（ＤＭＲＳ）が配置される。ＵＥ１００は、ｅＮＢ２００から割り当てられたＰＵＳＣＨリソースに相当するリソースブロック（ＲＢ）においてＤＭＲＳを送信する。すなわち、ＵＥ１００は、ＰＵＳＣＨ送信を行う際にＤＭＲＳを送信する。ｅＮＢ２００は、ＵＥ１００から受信するＳＲＳに基づいてチャネル推定を行い、チャネル推定結果に基づいてＰＵＳＣＨの復調等を行う。
【００６０】
（第５世代移動通信システム）
次に、第５世代移動通信システムの概要について説明する。第５世代移動通信システムを実現するために、「高周波数帯の利用」、「小セルの利用」、及び「大規模ＭＩＭＯ（Ｍａｓｓｉｖｅ  Ｍｕｌｔｉ−Ｉｎｐｕｔ  Ｍｕｌｔｉ−Ｏｕｔｐｕｔ）」が重要になると考えられている。「高周波数帯の利用」は、現在よりも高い周波数帯を利用することにより、広い周波数帯域を確保する技術である。「小セルの利用」は、高周波数帯における大きい伝搬損失を補償しつつ、局所的な高トラフィックエリアのスループットを改善する技術である。「大規模ＭＩＭＯ」は、高周波数帯においてアンテナ素子を小型化可能であるという利点を活かしつつ、多数のアンテナ素子を用いて高度なマルチアンテナ伝送を可能とする技術である。
【００６１】
また、第５世代移動通信システムにおいては、主に以下の２つの理由により、時分割複信（ＴＤＤ）方式が重要になると考えられている。
【００６２】
第１に、ＴＤＤ方式には伝搬遅延を補償するためのガードタイムが必要とされるが、「小セルの利用」によりガードタイムが短くて済むようになる。
【００６３】
第２に、ＴＤＤ方式は上下リンクのチャネルの可逆性を利用可能であるため、ｅＮＢ２００がＵＥ１００からの上りリンク無線信号（具体的には、参照信号）に基づいて下りリンクのチャネル状態情報（ＣＳＩ）を推定することができる。下りリンクＣＳＩとは、ＣＱＩ、ＰＭＩ、ＲＩ等である。例えば、ｅＮＢ２００は、ＵＥ１００のＰＵＳＣＨ送信に伴うＤＭＲＳを受信し、ＤＭＲＳを用いて下りリンクＣＳＩを推定し、下りリンクＣＳＩに基づいてＰＤＳＣＨ送信を行う。よって、ＴＤＤ方式によれば、「大規模ＭＩＭＯ」に必要とされる高精度なＣＳＩを低オーバーヘッドで取得可能である。つまり、ＵＥ１００からｅＮＢ２００にフィードバックする下りリンクＣＳＩを不要とする（又は削減する）ことができる。
【００６４】
［第１実施形態］
以下において、第１実施形態について説明する。第１実施形態において、ＵＥ１００及びｅＮＢ２００はＴＤＤ方式の無線通信を行う。第１実施形態は、上下リンクのチャネルの可逆性を利用して下りリンクＣＳＩを推定する場合において、効率的な下りリンクＣＳＩの推定を可能とする実施形態である。
【００６５】
図７は、上下リンクのチャネルの可逆性を利用して下りリンクＣＳＩを推定する方法の一例を示す図である。ここでは、ＤＭＲＳをチャネル推定に用いる場合を想定する。
【００６６】
図７Ａに示す例において、上りリンク（ＵＬ）期間が４つの上りリンクサブフレームにより構成され、下りリンク（ＤＬ）期間が４つの下りリンクサブフレームにより構成される。また、上りリンク及び下りリンクの両方に空間多重（Ｓｐａｔｉａｌ  ｍｕｌｔｉｐｌｅｘｉｎｇ）が適用される。一方、図７Ｂに示す例において、上りリンク期間が２つの上りリンクサブフレームにより構成され、下りリンク期間が４つの下りリンクサブフレームにより構成される。また、上りリンクに空間多重が適用される。
【００６７】
図７に示すように、チャネルの可逆性を利用するためには、下りリンクに用いる無線リソース（リソースブロック、コンポーネントキャリア）と同じだけ、ＵＥ１００に上りリンクの無線リソースを適切に設定及び割り当てる必要がある。チャネルの変動速度にも依存するが、例えば上りリンク通信から下りリンク通信までの時間を半無線フレーム（５ｍｓ）又は１無線フレーム（１０ｍｓ）程度以内に抑えるべきである。
【００６８】
よって、下りリンクリソースブロック（ＰＤＳＣＨリソース）を特定のＵＥ１００に割り当てる前に、ｅＮＢ２００は、当該下りリンクリソースブロックと周波数方向において一致する上りリンクリソースブロック（ＰＵＳＣＨリソース）を当該特定のＵＥ１００に割り当てる。
【００６９】
しかしながら、一般的に上りリンクデータは下りリンクデータよりも少ないため、同一のＵＥ１００に対して下りリンク無線リソースと同程度の量の上りリンク無線リソースを割り当てることは困難である。具体的には、ｅＮＢ２００がＵＥ１００に割り当てるリソースブロックの数は、下りリンクに比べて上りリンクが少なくなり得る。また、ＴＤＤの無線フレーム構成に起因して、下りリンクサブフレームに比べて上りリンクサブフレームの数が少なくなり得る。
【００７０】
（第１実施形態の概要）
次に、第１実施形態の概要について説明する。
【００７１】
第１実施形態において、ｅＮＢ２００は、ＵＥ１００に割り当てた下りリンクリソースブロックを用いて、下りリンク無線信号をＵＥ１００に送信する。ＵＥ１００は、ｅＮＢ２００から割り当てられた下りリンクリソースブロック（以下、「割当ＤＬ  ＲＢ」という）を用いて、ｅＮＢ２００から下りリンク無線信号を受信する。ここで、割当ＤＬ  ＲＢはＰＤＳＣＨとして用いるＲＢであり、下りリンク無線信号は下りリンクデータである。或いは、割当ＤＬ  ＲＢはｅＰＤＣＣＨ（ｅｎｈａｎｃｅｄ  ＰＤＣＣＨ）として用いるＲＢであり、下りリンク無線信号は下りリンク制御情報であってもよい。
【００７２】
ＵＥ１００は、周波数方向において割当ＤＬ  ＲＢと重複する上りリンク無線リソースを用いて、下りリンク無線信号の受信に成功したか否かを示す応答情報をｅＮＢ２００に送信する特定の送信処理を行う。ｅＮＢ２００は、周波数方向において割当ＤＬ  ＲＢと重複する上りリンク無線リソースを用いて、下りリンク無線信号の受信に成功したか否かを示す応答情報をＵＥ１００から受信する。ＵＥ１００に複数のコンポーネントキャリア（ＴＤＤキャリア）が設定されている場合、ＵＥ１００は、複数のコンポーネントキャリアのそれぞれについて特定の送信処理を行ってもよい。
【００７３】
ここで、「重複する」とは、応答情報の送信に用いる上りリンク無線リソースが周波数方向において割当ＤＬ  ＲＢと完全に一致することを要しない。応答情報の送信に用いる上りリンク無線リソースは、周波数方向において割当ＤＬ  ＲＢを含んでいればよい。応答情報とはＨＡＲＱ  ＡＣＫ／ＮＡＣＫであり、以下において単に「ＡＣＫ／ＮＡＣＫ」と称する。
【００７４】
なお、一般的なＬＴＥシステムにおいて、ＵＥ１００は、ＰＵＳＣＨリソース割り当てがない限りは、割当ＤＬ  ＲＢの周波数位置に依らずにＰＵＣＣＨでＡＣＫ／ＮＡＣＫを送信する。また、一般的なＬＴＥシステムにおいて、ＵＥ１００は、ＰＵＳＣＨリソース割り当てがある場合でも、割当ＤＬ  ＲＢの周波数位置に依らずにＰＵＳＣＨでＡＣＫ／ＮＡＣＫを送信する。
【００７５】
一方、第１実施形態においては、ＵＥ１００は、割当ＤＬ  ＲＢの周波数位置に対応する上りリンク無線リソースを用いて、ＡＣＫ／ＮＡＣＫを送信する。ＡＣＫ／ＮＡＣＫの送信タイミングについては、一般的なＬＴＥシステムと同様とすることができる。ＴＤＤ方式のＬＴＥシステムにおけるＡＣＫ／ＮＡＣＫの送信タイミングは、ＴＤＤの無線フレーム構成に依存する。
【００７６】
このように、第１実施形態は、下りリンクリソースブロックを割り当てれば上りリンクのＡＣＫ／ＮＡＣＫが発生するという点に着目し、チャネル推定のためにＡＣＫ／ＮＡＣＫを活用する。これにより、チャネル推定のために十分な上りリンク無線リソースを確保することができる。よって、上下リンクのチャネルの可逆性を利用して下りリンクＣＳＩを推定する場合において、効率的な下りリンクＣＳＩの推定を可能とすることができる。
【００７７】
第１実施形態において、特定の送信処理は、ＡＣＫ／ＮＡＣＫの送信に用いる上りリンク無線リソースを、時間方向においてサブフレーム単位又はスロット単位ではなくシンボル単位（ＳＣ−ＦＤＭＡシンボル単位）で特定する処理を含んでもよい。ＡＣＫ／ＮＡＣＫの送信に用いる上りリンク無線リソースは、ｅＮＢ２００により確保される。ｅＮＢ２００は、ＡＣＫ／ＮＡＣＫを送信するための上りリンク無線リソースを指定する情報を含む指示をＵＥ１００に送信する。ｅＮＢ２００は、ＡＣＫ／ＮＡＣＫの送信に用いるＳＣ−ＦＤＭＡシンボルを指定する情報を例えばＲＲＣシグナリングによりＵＥ１００に送信してもよい。ＡＣＫ／ＮＡＣＫの送信に用いる上りリンク無線リソースをシンボル単位で確保・特定することにより、１スロット内の同一ＲＢにおいて複数ＵＥのＡＣＫ／ＮＡＣＫを時分割により多重することができる。
【００７８】
ここで、ＡＣＫ／ＮＡＣＫの送信に用いる上りリンク無線リソースは、ＳＲＳリソース又はＰＵＳＣＨリソースである。ＳＲＳリソースを用いてＡＣＫ／ＮＡＣＫを送信する場合、例えば、上りリンクサブフレームの最終の１ＳＣ−ＦＤＭＡシンボルが確保される。一方、ＰＵＳＣＨリソースを用いてＡＣＫ／ＮＡＣＫを送信する場合、例えば、連続する複数のＳＣ−ＦＤＭＡシンボルが確保される。
【００７９】
第１実施形態において、ＵＥ１００は、ｅＮＢ２００からデータ送信用の上りリンク無線リソース（ＰＵＳＣＨリソース）が割り当てられなくても、ｅＮＢ２００からの指示に基づいて、ＰＵＣＣＨリソースとは異なる上りリンク無線リソースを用いて特定の送信処理を行ってもよい。ｅＮＢ２００からの指示は、例えばＲＲＣシグナリング又はＰＤＣＣＨを用いて行われる。これにより、ＵＥ１００は、上りリンクデータを有しておらず、ＰＵＳＣＨリソースがｅＮＢ２００から割り当てられない場合でも、ＡＣＫ／ＮＡＣＫをｅＮＢ２００に送信することができる。なお、ｅＮＢ２００からの指示は、ＡＣＫ／ＮＡＣＫを送信するための上りリンク無線リソースを指定する情報を含む。
【００８０】
（第１実施形態に係るＳＲＳリソースを用いたＡＣＫ／ＮＡＣＫ送信）
次に、第１実施形態に係るＳＲＳリソースを用いたＡＣＫ／ＮＡＣＫ送信について説明する。ＵＥ１００は、周波数方向において割当ＤＬ  ＲＢと重複するＳＲＳリソースを用いて、ＡＣＫ／ＮＡＣＫを含むＳＲＳをｅＮＢ２００に送信する。図８は、第１実施形態に係るＳＲＳリソースを用いたＡＣＫ／ＮＡＣＫ送信の一例を示す図である。
【００８１】
図８Ａ及び図８Ｃに示す例において、１つのＳＲＳの送信に用いる複数のサブキャリアには、１つのサブキャリアに相当する周波数間隔が設けられる。例えば、ＳＲＳ＃０は偶数番のサブキャリア（「Ｔｒａｎｓｍｉｓｓｉｏｎ  Ｃｏｍｂ  ０」と称される）を用いて送信され、ＳＲＳ＃１は奇数番のサブキャリア（「Ｔｒａｎｓｍｉｓｓｉｏｎ  Ｃｏｍｂ  １」と称される）を用いて送信される。このようなＳＲＳのサブキャリア配置は一般的なＬＴＥシステムと同様である。このようなＳＲＳのサブキャリア配置を用いる場合、２つのＳＲＳを周波数分割により多重することができる。
【００８２】
一方、図８Ｂに示す例において、１つのＳＲＳの送信に用いる複数のサブキャリアには、２以上のサブキャリア（具体的には、３つのサブキャリア）に相当する周波数間隔が設けられる。このようなＳＲＳのサブキャリア配置を用いる場合、４つのＳＲＳ（ＳＲＳ＃０乃至＃３）を周波数分割により多重することができる。
【００８３】
また、図８Ａ及び図８Ｂに示す例において、ＳＲＳの信号系列により、ＡＣＫ／ＮＡＣＫが示される。ＡＣＫ用の信号系列及びＮＡＣＫの信号系列は、システム仕様により事前設定されてもよいし、ｅＮＢ２００がＵＥ１００に設定してもよい。ＵＥ１００は、ｅＮＢ２００からの下りリンクデータの受信（復号）に失敗した場合、ＮＡＣＫ用の信号系列を用いてＳＲＳをｅＮＢ２００に送信する。ｅＮＢ２００は、ＵＥ１００から受信したＳＲＳを用いてチャネル推定を行うとともに、その信号系列に基づいてＵＥ１００が下りリンクデータの受信に失敗したと判断する。この場合、ｅＮＢ２００は、ＨＡＲＱによる再送処理を行ってもよい。一方、ｅＮＢ２００からの下りリンクデータの受信（復号）に成功した場合、ＵＥ１００は、ＡＣＫ用の信号系列を用いてＳＲＳをｅＮＢ２００に送信する。ｅＮＢ２００は、ＵＥ１００から受信したＳＲＳを用いてチャネル推定を行うとともに、その信号系列に基づいてＵＥ１００が正常に下りリンクデータを受信したと判断する。
【００８４】
一方、図８Ｃに示す例において、ＳＲＳのリソース配置パターン（具体的には、サブキャリア配置パターン）により、ＡＣＫ／ＮＡＣＫが示される（又はＡＣＫ／ＮＡＣＫを意味する）。例えば、偶数番のサブキャリア（Ｔｒａｎｓｍｉｓｓｉｏｎ  Ｃｏｍｂ  ０）はＡＣＫを示し、奇数番のサブキャリア（Ｔｒａｎｓｍｉｓｓｉｏｎ  Ｃｏｍｂ  １）はＮＡＣＫを示す。ＡＣＫ／ＮＡＣＫとサブキャリア配置パターンとの対応関係は、システム仕様により事前設定されてもよいし、ｅＮＢ２００がＵＥ１００に設定してもよい。ＵＥ１００は、ｅＮＢ２００からの下りリンクデータの受信（復号）に失敗した場合、ＮＡＣＫ用のサブキャリア配置パターンを用いてＳＲＳをｅＮＢ２００に送信する。ｅＮＢ２００は、ＵＥ１００から受信したＳＲＳを用いてチャネル推定を行うとともに、そのサブキャリア配置パターンに基づいてＵＥ１００が下りリンクデータの受信に失敗したと判断する。この場合、ｅＮＢ２００は、ＨＡＲＱによる再送処理を行ってもよい。一方、ｅＮＢ２００からの下りリンクデータの受信（復号）に成功した場合、ＵＥ１００は、ＡＣＫ用のサブキャリア配置パターンを用いてＳＲＳをｅＮＢ２００に送信する。ｅＮＢ２００は、ＵＥ１００から受信したＳＲＳを用いてチャネル推定を行うとともに、そのサブキャリア配置パターンに基づいてＵＥ１００が正常に下りリンクデータを受信したと判断する。
【００８５】
（第１実施形態に係るＰＵＳＣＨリソースを用いたＡＣＫ／ＮＡＣＫ送信）
次に、第１実施形態に係るＰＵＳＣＨリソースを用いたＡＣＫ／ＮＡＣＫ送信について説明する。ＵＥ１００は、周波数方向において割当ＤＬ  ＲＢと重複するＰＵＳＣＨリソースを用いて、ＡＣＫ／ＮＡＣＫとは別のＤＭＲＳ又はＡＣＫ／ＮＡＣＫを含むＤＭＲＳをｅＮＢ２００に送信する。図９は、第１実施形態に係るＰＵＳＣＨリソースを用いたＡＣＫ／ＮＡＣＫ送信の一例を示す図である。
【００８６】
図９Ａに示す例において、１つのＲＢ、かつ１つのサブフレーム内において、４つのＵＥ１００（ＵＥ＃０乃至＃３）のＡＣＫ／ＮＡＣＫが時分割により多重されている。具体的には、連続する３つのＳＣ−ＦＤＭＡシンボルがＡＣＫ／ＮＡＣＫ送信用リソースとしてＵＥ１００ごとに確保されている。例えば、連続する３つのＳＣ−ＦＤＭＡシンボルのうち、１番目及び３番目のＳＣ−ＦＤＭＡシンボルにＡＣＫ／ＮＡＣＫが配置され、２番目のＳＣ−ＦＤＭＡシンボルにＤＭＲＳが配置される。なお、１番目及び３番目のＳＣ−ＦＤＭＡシンボルに、ＡＣＫ／ＮＡＣＫに加えて、少量の上りリンクデータが配置されてもよい。また、図９Ａに示す例においては、１サブフレーム中の１４ＳＣ−ＦＤＭＡシンボルのうち、最後の２つのＳＣ−ＦＤＭＡシンボル以外のＳＣ−ＦＤＭＡシンボルがＡＣＫ／ＮＡＣＫ送信用リソースとして確保され、最後の２つのＳＣ−ＦＤＭＡシンボルがＳＲＳリソースとして確保されている。
【００８７】
図９Ｂに示す例において、１つのＲＢ、かつ１つのサブフレーム内において、５つのＵＥ１００（ＵＥ＃０乃至＃４）のＡＣＫ／ＮＡＣＫが時分割により多重されている。具体的には、連続する２つのＳＣ−ＦＤＭＡシンボルがＡＣＫ／ＮＡＣＫ送信用リソースとしてＵＥ１００ごとに確保されている。例えば、連続する２つのＳＣ−ＦＤＭＡシンボルのうち、１番目のＳＣ−ＦＤＭＡシンボルにＡＣＫ／ＮＡＣＫが配置され、２番目のＳＣ−ＦＤＭＡシンボルにＤＭＲＳが配置される。なお、１番目のＳＣ−ＦＤＭＡシンボルに、ＡＣＫ／ＮＡＣＫに加えて、少量の上りリンクデータが配置されてもよい。また、図９Ｂに示す例においては、一のＵＥ１００のＡＣＫ／ＮＡＣＫ送信用リソースと他のＵＥ１００のＡＣＫ／ＮＡＣＫ送信用リソースとの間に、１ＳＣ−ＦＤＭＡシンボル分のギャップ区間が確保されている。
【００８８】
図９Ａ及び図９Ｂに示す例において、ＵＥ１００は、ｅＮＢ２００からの下りリンクデータを受信した後、例えばｅＮＢ２００から指定されたＡＣＫ／ＮＡＣＫ送信用リソースを用いてＡＣＫ／ＮＡＣＫ及びＤＭＲＳをｅＮＢ２００に送信する。ｅＮＢ２００は、ＵＥ１００から受信したＤＭＲＳを用いてチャネル推定を行うとともに、チャネル推定結果に基づいてＡＣＫ／ＮＡＣＫを復調する。ＮＡＣＫが得られた場合、ｅＮＢ２００は、ＨＡＲＱによる再送処理を行ってもよい。
【００８９】
図９Ａ及び図９Ｂに示す例において、異なるＵＥ１００のＡＣＫ／ＮＡＣＫが１サブフレーム内に多重されているが、同一のＵＥ１００のＡＣＫ／ＮＡＣＫが１サブフレーム内に多重されてもよい。この場合、１つのＵＥ１００が１サブフレーム内で複数のＡＣＫ／ＮＡＣＫを送信可能である。
【００９０】
図９Ａ及び図９Ｂにおいて、ＡＣＫ／ＮＡＣＫに付随するＤＭＲＳをＵＥ１００が送信する一例を説明した。すなわち、ＡＣＫ／ＮＡＣＫは、ＤＭＲＳとは別の信号である。一方、図９Ｃに示す例において、ＵＥ１００は、ＡＣＫ／ＮＡＣＫを含むＤＭＲＳをｅＮＢ２００に送信する。
【００９１】
具体的には、図９Ｃに示す例において、１サブフレーム中の１４ＳＣ−ＦＤＭＡシンボルのうち、最後のＣ−ＦＤＭＡシンボル以外のＳＣ−ＦＤＭＡシンボルがＡＣＫ／ＮＡＣＫを含むＤＭＲＳの送信用リソースとして確保され、最後のＳＣ−ＦＤＭＡシンボルがＳＲＳリソースとして確保されている。
【００９２】
図９Ｃに示す例において、１つのＳＣ−ＦＤＭＡシンボルに、１つのＡＣＫ／ＮＡＣＫを含む１つのＤＭＲＳが配置される。ＤＭＲＳが配置される各ＳＣ−ＦＤＭＡシンボルは、異なるＵＥ１００に割り当てられてもよいし、同一のＵＥ１００に割り当てられてもよい。
【００９３】
ＤＭＲＳの信号系列によりＡＣＫ／ＮＡＣＫが示されてもよい。この場合、ＡＣＫ用の信号系列及びＮＡＣＫの信号系列は、システム仕様により事前設定されてもよいし、ｅＮＢ２００がＵＥ１００に設定してもよい。或いは、ＤＭＲＳのリソース配置パターン（具体的には、サブキャリア配置パターン）によりＡＣＫ／ＮＡＣＫが示されてもよい。この場合、ＡＣＫ／ＮＡＣＫとサブキャリア配置パターンとの対応関係は、システム仕様により事前設定されてもよいし、ｅＮＢ２００がＵＥ１００に設定してもよい。
【００９４】
ここではＤＭＲＳの信号系列によりＡＣＫ／ＮＡＣＫが示される場合を想定する。ＵＥ１００は、ｅＮＢ２００からの下りリンクデータの受信（復号）に失敗した場合、ＮＡＣＫ用の信号系列を用いてＤＭＲＳをｅＮＢ２００に送信する。ｅＮＢ２００は、ＵＥ１００から受信したＤＭＲＳを用いてチャネル推定を行うとともに、その信号系列に基づいてＵＥ１００が下りリンクデータの受信に失敗したと判断する。この場合、ｅＮＢ２００は、ＨＡＲＱによる再送処理を行ってもよい。一方、ｅＮＢ２００からの下りリンクデータの受信（復号）に成功した場合、ＵＥ１００は、ＡＣＫ用の信号系列を用いてＤＭＲＳをｅＮＢ２００に送信する。ｅＮＢ２００は、ＵＥ１００から受信したＤＭＲＳを用いてチャネル推定を行うとともに、その信号系列に基づいてＵＥ１００が正常に下りリンクデータを受信したと判断する。
【００９５】
（第１実施形態に係る動作シーケンス）
次に、第１実施形態に係る動作シーケンスの一例について説明する。図１０は、第１実施形態に係る動作シーケンスの一例を示すシーケンス図である。図１０の初期状態において、ＵＥ１００は、ｅＮＢ２００のセルにおいてＲＲＣコネクティッドモードである。
【００９６】
図１０に示すように、ステップＳ１０１において、ｅＮＢ２００は、ＲＲＣシグナリングによりＵＥ１００に設定情報を送信する。設定情報は、第１実施形態に係る特定の送信処理に関する各種のパラメータを含む。例えば、設定情報は、第１実施形態に係る特定の送信処理を行うようＵＥ１００に指示する情報を含んでもよい。また、設定情報は、ＡＣＫ／ＮＡＣＫの送信に用いるＳＣ−ＦＤＭＡシンボル（ＡＣＫ／ＮＡＣＫ送信用リソース）を指定する情報を含んでもよい。さらに、設定情報は、上述したＡＣＫ／ＮＡＣＫの信号系列に関する情報又はＡＣＫ／ＮＡＣＫのサブキャリア配置パターンに関する情報を含んでもよい。上述したような設定情報の少なくとも一部は、後述するＰＤＣＣＨ送信（ステップＳ１０２）の際に送信されてもよい。ＵＥ１００は、ｅＮＢ２００から受信した設定情報を記憶する。
【００９７】
ステップＳ１０２において、ｅＮＢ２００は、ＰＤＣＣＨにより下りリンク制御情報（ＤＣＩ）をＵＥ１００に送信する。ＤＣＩは、割当ＤＬ  ＲＢを含むスケジューリング情報である下りリンクＳＩを含む。ここでは、割当ＤＬ  ＲＢとしてＲＢ＃１を指定する場合を想定する。ＤＣＩは、第１実施形態に係る特定の送信処理を行うようＵＥ１００に指示する情報を含んでもよい。或いは、第１実施形態に係る特定の送信処理のための新たなＤＣＩフォーマットを用いてもよい。この場合、ＵＥ１００は、当該新たなＤＣＩフォーマットの受信に応じて、特定の送信処理が指示されたと認識してもよい。ＤＣＩは、ＰＵＳＣＨリソースの割り当てに関する下りリンクＳＩ（ＵＬ  ｇｒａｎｔ）を含まなくてもよい。ＵＥ１００は、受信したＤＣＩを復号する。
【００９８】
ステップＳ１０３において、ｅＮＢ２００は、ＰＤＳＣＨにより下りリンクデータをＵＥ１００に送信する。その際のＰＤＳＣＨリソースとしては、割当ＤＬ  ＲＢであるＲＢ＃１が用いられる。ＵＥ１００は、ＤＣＩ中の下りリンクＳＩに基づいて、ＲＢ＃１を用いて送信された下りリンクデータを受信する。ＵＥ１００は、下りリンクデータの受信に成功すればＡＣＫを生成し、下りリンクデータの受信に失敗すればＮＡＣＫを生成する。
【００９９】
ステップＳ１０４において、ＵＥ１００は、設定情報及び／又はＤＣＩに基づいて、周波数方向において割当ＤＬ  ＲＢ（ＲＢ＃１）と重複する上りリンク無線リソース（ＲＢ＃１）を用いて、ＡＣＫ／ＮＡＣＫをｅＮＢ２００に送信する特定の送信処理を行う。上述したように、上りリンク無線リソースは、ＳＣ−ＦＤＭＡシンボル単位で確保されており、ＳＲＳリソース又はＰＵＳＣＨリソースである。ここで、ＵＥ１００は、ｅＮＢ２００から明示的にＰＵＳＣＨリソースが割り当てられていない場合、すなわち、ＵＬ  ｇｒａｎｔを受信していない場合でも、ＡＣＫ／ＮＡＣＫをｅＮＢ２００に送信する。ｅＮＢ２００は、ＡＣＫ／ＮＡＣＫを受信する。
【０１００】
ステップＳ１０５において、ｅＮＢ２００は、ＡＣＫ／ＮＡＣＫを含む参照信号（ＳＲＳ、ＤＭＲＳ）、又はＡＣＫ／ＮＡＣＫとは別の参照信号（ＤＭＲＳ）に基づいて、ＲＢ＃１についてのＤＬ  ＣＳＩを推定する。具体的には、ｅＮＢ２００は、参照信号を用いた上りリンクのチャネル推定結果に基づき、チャネルの可逆性を利用してＤＬ  ＣＳＩを推定する。ＤＬ  ＣＳＩの推定は、ＵＥ１００に対する下りリンクの送信ウェイト（プリコーダ）を導出する処理を含んでもよい。
【０１０１】
ステップＳ１０６乃至Ｓ１０９の動作は、ステップＳ１０２乃至Ｓ１０５の動作と同様である。なお、ステップＳ１０６において、ｅＮＢ２００は、割当ＤＬ  ＲＢとしてＲＢ＃１を指定するＤＣＩをＵＥ１００に送信する。ステップＳ１０６及びＳ１０７において、ｅＮＢ２００は、ステップＳ１０５において得られたＤＬ  ＣＳＩに基づいて、ＰＤＳＣＨ送信に関する制御を行う。例えば、ｅＮＢ２００は、下りリンクの送信ウェイト（プリコーダ）を用いて下りリンクデータをＵＥ１００に送信する。ｅＮＢ２００は、大規模ＭＩＭＯによるＭＩＭＯ伝送を行ってもよい。また、ｅＮＢ２００は、ステップＳ１０６以降において、ステップＳ１０５以前のＤＬ  ＣＳＩの推定に基づいて、ＲＢ＃１とは異なるＲＢを割り当ててもよい。
【０１０２】
［第２実施形態］
以下において、第２実施形態について、第１実施形態との相違点を主として説明する。第２実施形態は、上下リンクのチャネルの可逆性を利用して下りリンクＣＳＩを推定する場合において、効率的な下りリンクＣＳＩの推定を可能とする点において、第１実施形態と同様である。
【０１０３】
第２実施形態に係るＵＥ１００は、ＴＤＤ方式の無線通信をｅＮＢ２００と行う。ＵＥ１００は、上りリンク無線信号の送信に用いるリソースブロック及び／又はコンポーネントキャリアをサブフレーム単位又はスロット単位ではなく所定数のシンボル単位で切り替えながら、上りリンク無線信号をｅＮＢ２００に送信する。所定数は、１つのスロット区間を構成するシンボル数（例えば「７」）よりも少ない数であってもよい。換言すると、ＵＥ１００は、ＳＣ−ＦＤＭＡシンボルあたりの送信を狭い周波数帯域幅で行いつつ、１サブフレーム全体で見ると広い周波数帯域幅での送信を行う。ｅＮＢ２００は、リソースブロック又はコンポーネントキャリアをシンボル単位で切り替えながら送信される上りリンク無線信号をＵＥ１００から受信する。ｅＮＢ２００は、ＵＥ１００から受信した上りリンク無線信号に基づいて、チャネルの可逆性を利用して下りリンクＣＳＩを推定する。
【０１０４】
図１１は、第２実施形態に係る動作の一例を示す図である。図１１に示すように、各ＵＥ１００は、上りリンク無線信号の送信に用いるリソースブロック及び／又はコンポーネントキャリアを所定数のシンボル単位（ＳＣ−ＦＤＭＡシンボル単位）で切り替えながら、上りリンク無線信号をｅＮＢ２００に送信する。図１１において、１シンボル単位で（１ＳＣ−ＦＤＭＡシンボル単位）での切り替えを例示している。
【０１０５】
つまり、ＵＥ１００は、シンボル単位での周波数ホッピングにより上りリンク無線信号をｅＮＢ２００に送信する。ここで「上りリンク無線信号」とは、上りリンクデータ（ＰＵＳＣＨ送信）であってもよいし、ＳＲＳであってもよい。上りリンクデータ（ＰＵＳＣＨ送信）の場合、上りリンクデータが配置されるＳＣ−ＦＤＭＡシンボル区間に含まれる一部のリソースエレメントにＤＭＲＳが配置されてもよい。
【０１０６】
各ＵＥ１００は、１つのスロット区間内において、上りリンク無線信号の送信に用いるリソースブロック及び／又はコンポーネントキャリアを所定数のシンボル単位で切り替えながら、上りリンク無線信号をｅＮＢ２００に送信してもよい。
【０１０７】
また、各ＵＥ１００は、ｅＮＢ２００から自ＵＥ１００に１コンポーネントキャリア内の複数の下りリンクリソースブロックが割り当てられた場合、周波数方向において当該複数の下りリンクリソースブロックと重複する複数の上りリンクリソースブロックの範囲内で、上りリンク無線信号の送信に用いる上りリンクリソースブロックを所定数のシンボル単位で切り替えながら、上りリンク無線信号をｅＮＢ２００に送信してもよい。
【０１０８】
さらに、ＵＥ１００は、ｅＮＢ２００から自ＵＥ１００に複数のコンポーネントキャリアが設定された場合、当該複数のコンポーネントキャリアの範囲内で、上りリンク無線信号の送信に用いるコンポーネントキャリアを所定数のシンボル単位で切り替えながら、上りリンク無線信号をｅＮＢ２００に送信してもよい。ここで、「ＵＥ１００にコンポーネントキャリアが設定される」とは、キャリアアグリゲーションにおける上りリンクコンポーネントキャリア（ＵＬ  ＣＣ）としてＵＥ１００にコンポーネントキャリアが設定されることであってもよい。或いは、「ＵＥ１００にコンポーネントキャリアが設定される」とは、ＳＲＳ送信のためのＳＲＳコンポーネントキャリア（ＳＲＳ  ＣＣ）としてＵＥ１００にコンポーネントキャリアが設定されることであってもよい。
【０１０９】
コンポーネントキャリアの切り替えを行う場合、一のコンポーネントキャリア内での送信と他のコンポーネントキャリア内での送信との間に、１ＳＣ−ＦＤＭＡシンボル程度のギャップ区間を設けてもよい。すなわち、コンポーネントキャリア切り替えのための時間差を補償するために、切り替え元のコンポーネントキャリアでの送信と、切り替え後のコンポーネントキャリアでの送信との間に、所定数のシンボル分の時間だけ送信を停止する。
【０１１０】
コンポーネントキャリアの切り替えを行う場合、ＵＥ１００は、複数のコンポーネントキャリア上での送信タイミングが重複しないように、上りリンク無線信号の送信に用いるコンポーネントキャリアを所定数のシンボル単位で切り替えながら、上りリンク無線信号をｅＮＢ２００に送信してもよい。これにより、ＵＥ１００が複数のコンポーネントキャリアの同時送信を行うことができない前提下において、ｅＮＢ２００が複数のコンポーネントキャリアのＣＳＩ推定を短時間で行うことができる。また、送信コンポーネントキャリア変更時のＵＥ１００の切り替え時間（具体的には、無線送信機の周波数切り替えに要する時間）を考慮したコンポーネントキャリアの切り替えを行うことができる。
【０１１１】
ｅＮＢ２００は、図１１に示すような周波数ホッピングを行うための設定情報をＲＲＣシグナリングにより各ＵＥ１００に送信してもよいし、当該周波数ホッピングを行うためのＤＣＩをＰＤＣＣＨにより各ＵＥ１００に送信してもよい。
【０１１２】
設定情報又はＤＣＩは、ＳＣ−ＦＤＭＡシンボル毎の送信リソースブロック・送信コンポーネントキャリアのリストを含んでもよい。例えば、シンボル＃０ではコンポーネントキャリア＃０のリソースブロック＃１０乃至１５、シンボル＃１ではコンポーネントキャリア＃０のリソースブロック＃１６乃至２１、シンボル＃２及び＃３では送信なし、シンボル＃４ではコンポーネントキャリア＃１のリソースブロック＃１乃至４、・・・といったリストである。
【０１１３】
或いは、コンポーネントキャリア内での周波数分割をしない場合、設定情報又はＤＣＩは、ＳＣ−ＦＤＭＡシンボル毎の送信コンポーネントキャリアのリストを含んでもよい。例えば、シンボル＃０ではコンポーネントキャリア＃１、シンボル＃１では送信なし、シンボル＃２ではコンポーネントキャリア＃１、・・・といったリストである。
【０１１４】
設定情報又はＤＣＩは、コンポーネントキャリアごとの周波数分割数を示す情報を含んでもよい。例えば、分割しない、２分割、３分割・・・といった情報である。
【０１１５】
［第２実施形態の変更例］
以下において、第２実施形態の変更例について説明する。第２実施形態の変更例において、シンボル単位での周波数ホッピングにより送信される上りリンク無線信号がＳＲＳであるケースを想定する。
【０１１６】
（変更例１）
第２実施形態の変更例１において、ｅＮＢ２００は、ＳＲＳの送信に関する送信パラメータを設定する情報をＵＥ１００に送信する。このような情報は、ＲＲＣシグナリング又はＤＣＩにより送信される。ＲＲＣシグナリングは、ＵＥ個別ＲＲＣシグナリングである。或いは、ＲＲＣシグナリングは、ブロードキャストＲＲＣシグナリングであってもよい。
【０１１７】
ＵＥ１００は、ｅＮＢ２００から当該情報を受信し、ｅＮＢ２００から設定された送信パラメータに従ってＳＲＳを送信する。送信パラメータは、ＳＲＳの送信に用いるコンポーネントキャリア（ＣＣ）、ＳＲＳの送信に用いるリソースブロック（ＲＢ）、ＳＲＳの送信に用いるサブフレーム、ＳＲＳの送信に用いるシンボルのうち、少なくとも１つを含む。
【０１１８】
ＳＲＳの送信に用いる１又は複数のＲＢは、ＳＲＳの周波数ホッピングパターンにより定められてもよい。この場合、ｅＮＢ２００は、ＳＲＳの周波数ホッピングパターンを示す送信パラメータをＵＥ１００に設定する。
【０１１９】
ＳＲＳの周波数ホッピングは、ＵＥ１００に設定されるＣＣごとに独立して設定される。換言すると、ＳＲＳの周波数ホッピングパターンは、ＣＣごとに個別に設定される。以下において、このようなケースを「ＣＣ個別設定」と称する。
【０１２０】
或いは、ＳＲＳの周波数ホッピングは、ＵＥ１００に設定される複数のＣＣに対して一括して設定される。換言すると、ＳＲＳの周波数ホッピングパターンは、複数のＣＣに亘って設定される。以下において、このようなケースを「複数ＣＣ一括設定」と称する。
【０１２１】
まず、ＣＣ個別設定のケースについて説明する。図１２は、ＣＣ個別設定の一例を示す図である。図１２の例において、ＳＲＳの送信に用いる２つのＣＣ＃０及び＃１がＵＥ１００に設定されている。ＣＣ＃０は、上りリンクデータの送信及びＳＲＳの送信に用いられるＣＣ（すなわち、通常のＵＬ  ＣＣ）であってもよい。ＣＣ＃１は、上りリンクデータの送信に用いられずにＳＲＳの送信に用いられるＣＣ（すなわち、ＳＲＳ  ＣＣ）であってもよい。このようなＣＣの種類をｅＮＢ２００がＵＥ１００に設定してもよい。なお、ＣＣ＃０及び＃１の何れもＴＤＤキャリアである。
【０１２２】
図１２に示すように、ＳＲＳの周波数ホッピングパターンは、ＣＣごとに別々に設定される。ＣＣ＃０において、サブフレーム＃０乃至＃３のそれぞれは、ＳＲＳの送信に用いるサブフレームとして設定されている。また、各サブフレームの最終シンボル（最終ＳＣ−ＦＤＭＡシンボル）＃ｎは、ＳＲＳの送信に用いるシンボルとして設定されている。さらに、ＳＲＳの送信に用いるシンボル区間において、ＣＣ＃０は周波数方向に３つのサブ帯域＃０乃至＃２に分割されている。各サブ帯域は、複数のＲＢにより構成され得る。ＣＣの分割数又はサブ帯域の帯域幅をｅＮＢ２００がＵＥ１００に設定してもよい。ＵＥ１００は、サブフレーム＃０の最終シンボル＃ｎのサブ帯域＃０、サブフレーム＃１の最終シンボル＃ｎのサブ帯域＃１、サブフレーム＃２の最終シンボル＃ｎのサブ帯域＃２、サブフレーム＃３の最終シンボル＃ｎのサブ帯域＃０のそれぞれでＳＲＳを送信する。
【０１２３】
また、ＣＣ＃１において、サブフレーム＃０乃至＃３のそれぞれは、ＳＲＳの送信に用いるサブフレームとして設定されている。また、各サブフレームの３つのシンボル＃（ｎ−３）乃至＃（ｎ−１）は、ＳＲＳの送信に用いるシンボルとして設定されている。さらに、ＳＲＳの送信に用いるシンボル区間において、ＣＣ＃１は周波数方向に３つのサブ帯域＃０乃至＃２に分割されている。ＣＣ＃１の各サブフレームにおいて、ＵＥ１００は、シンボル単位でサブ帯域（複数のＲＢ）を切り替えながらＳＲＳを送信する。これにより、ｅＮＢ２００は、１つのサブフレームでＣＣ＃１全体のＣＳＩを推定することができる。
【０１２４】
但し、ＵＥ１００は、複数のＣＣで同時送信を行う能力を有しない。例えば、ＵＥ１００は、送信機を１つのみ有しており、当該送信機は複数のＣＣで同時送信を行うことができない。或いは、ＣＣ＃０及び＃１は、複数のＣＣで同時送信を行うことが好ましくない周波数帯に属する。特に、複数のＣＣで同時送信を行う能力を有しないＵＥ１００は、一方のＣＣでの送信と他方のＣＣでの送信とを連続的に行うことは困難である。具体的には、ＵＥ１００は、一方のＣＣでの送信と他方のＣＣでの送信との間に、ＣＣ切り替えのための処理を行う必要がある。
【０１２５】
ｅＮＢ２００は、このような切り替えのための送信停止期間である切り替えギャップをＵＥ１００に設定する。図１２の例において、ｅＮＢ２００は、各サブフレームのシンボル＃（ｎ−１）を切り替えギャップとしてＵＥ１００に設定している。例えば、ｅＮＢ２００は、切り替えギャップを構成するシンボルのシンボル番号を送信パラメータとしてＵＥ１００に設定してもよい。切り替えギャップを構成するシンボル番号は、ＣＣ毎の独立設定であってもよく、複数ＣＣ共通設定であってもよい。或いは、ＵＥ１００は、切り替えギャップを自律的に設定してもよい。
【０１２６】
ＵＥ１００は、切り替えギャップの間は送信を停止するとともに、一のＣＣから他のＣＣへの切り替えを行う。図１２の例において、ＵＥ１００は、ＣＣ＃１のサブフレーム＃０のシンボル＃（ｎ−１）におけるＳＲＳの送信を中止し、ＣＣ＃０へ送信キャリアを切り替える。送信キャリアを切り替えた後、ＵＥ１００は、ＣＣ＃０のサブフレーム＃０のシンボル＃ｎにおいてＳＲＳを送信する。ここで、切り替えギャップと競合したＳＲＳ送信は、同一ＣＣにおける次の送信可能シンボルに延期されてもよい。図１２の例において、ＵＥ１００は、サブフレーム＃０において切り替えギャップと競合したサブ帯域＃２のＳＲＳ送信を中止している。このため、ＵＥ１００は、次のサブフレーム＃１の最初のＳＲＳ送信タイミングであるシンボル＃（ｎ−３）においてサブ帯域＃２のＳＲＳ送信を行う。次に、サブフレーム＃１のシンボル＃（ｎ−２）においてサブ帯域＃０のＳＲＳ送信を行う。以降、ＵＥ１００は、このような動作を繰り返す。
【０１２７】
次に、複数ＣＣ一括設定のケースについて説明する。図１３は、複数ＣＣ一括設定の一例を示す図である。図１３の例において、ＳＲＳの送信に用いる２つのＣＣ＃０及び＃１がＵＥ１００に設定されている。ＣＣ＃０及び＃１は、上りリンクデータの送信に用いられずにＳＲＳの送信に用いられるＣＣ（ＳＲＳ  ＣＣ）であってもよい。以下において、ＣＣ個別設定のケースとの相違点を主として説明する。
【０１２８】
図１３に示すように、ＳＲＳの周波数ホッピングパターンはＣＣ＃０及び＃１に亘って設定される。ＣＣ＃０及び＃１において、サブフレーム＃０乃至＃３のそれぞれは、ＳＲＳの送信に用いるサブフレームとして設定されている。また、各サブフレームの５つのシンボル＃（ｎ−４）乃至＃ｎは、ＳＲＳの送信に用いるシンボルとして設定されている。
【０１２９】
図１３の例において、ＵＥ１００は、ＣＣ＃０のサブフレーム＃０において、シンボル＃（ｎ−４）のサブ帯域＃０、シンボル＃（ｎ−３）のサブ帯域＃１、シンボル＃（ｎ−２）のサブ帯域＃２のそれぞれでＳＲＳを送信する。このように、ＵＥ１００は、ＣＣ＃０内ではサブ帯域（複数のＲＢ）単位での周波数ホッピングを行う。そして、ＵＥ１００は、送信キャリアをＣＣ＃１へ切り替える。
【０１３０】
ＣＣの切り替え時には、上述した切り替えギャップを設ける。図１３の例において、ＣＣ＃１のサブフレーム＃０のシンボル＃（ｎ−１）は、切り替えギャップとして設定されている。切り替えギャップを構成するＣＣ番号及び／又はシンボル番号をｅＮＢ２００がＵＥ１００に設定してもよい。或いは、このような明示的な設定に代えて、暗示的な設定を用いてもよい。例えば、ｅＮＢ２００は、切り替えギャップを設けるＣＣの決定ルールとして、以下の何れかのルールをＵＥ１００に設定する。
【０１３１】
・プライマリセルに相当するＣＣを優先し、それ以外のセルに相当するＣＣに切り替えギャップを設ける。プライマリセルは、キャリアアグリゲーションにおいてＰＵＣＣＨ及びＲＲＣシグナリングを伝送するセルである。「それ以外のセルに相当するＣＣ」とは、例えば、セカンダリセルに相当するＣＣ又はＳＲＳ  ＣＣである。
【０１３２】
・アクティベートされているセルに相当するＣＣを優先し、それ以外のセルに相当するＣＣに切り替えギャップを設ける。アクティベートとは、ＲＲＣシグナリングにより設定されたセルに対してＭＡＣ制御エレメント等により使用開始が指示された状態を意味する。
【０１３３】
・切り替え前のＣＣを優先し、切り替え後のＣＣに切り替えギャップを設ける。
【０１３４】
・切り替え後のＣＣを優先し、切り替え前のＣＣに切り替えギャップを設ける。
【０１３５】
・ＣＣ間の優先度をｅＮＢ２００から明示的に通知し、優先度の低いＣＣに切り替えギャップを設ける。
【０１３６】
或いは、上記のようなルールがＵＥ１００に事前設定されており、ＵＥ１００が自律的に切り替えギャップを設定してもよい。
【０１３７】
なお、複数ＣＣ一括設定において、ｅＮＢ２００は、複数のＣＣに共通して適用される少なくとも１つの共通送信パラメータをＵＥ１００に設定してもよい。共通送信パラメータは、各ＣＣの帯域幅に依存しないパラメータであり、例えばＳＲＳ設定のインデックス（ｓｒｓ−ＣｏｎｆｉｇＩｎｄｅｘ）を含んでもよい。さらに、ｅＮＢ２００は、ＣＣに個別に適用される少なくとも１つの個別送信パラメータをＵＥ１００に設定してもよい。個別送信パラメータは、各ＣＣの帯域幅に依存しないパラメータである。
【０１３８】
（変更例２）
上述した第２実施形態及びその変更例において、ＳＲＳの送信に用いるサブフレーム内において、シンボル単位でサブ帯域（複数のＲＢ）を切り換える周波数ホッピングを行う一例を説明した。この場合、ＵＥ１００は、連続する各シンボルにおいてＳＲＳを送信する。すなわち、ＵＥ１００は、サブフレーム内においてＳＲＳを連続的に送信する。
【０１３９】
しかしながら、ＵＥ１００は、サブフレーム内においてＳＲＳを間欠的に送信してもよい。また、ｅＮＢ２００は、ＳＲＳの送信に用いるシンボルの間隔をＵＥ１００に設定してもよい。ＵＥ１００は、設定された間隔に従ってＳＲＳを間欠的に送信する。
【０１４０】
図１４は、第２実施形態の変更例２を示す図である。図１４の例において、ＳＲＳの送信に用いるサブフレーム内において、ＳＲＳの送信に用いるシンボル（ＳＲＳ送信シンボル）間には、１シンボル分の間隔が設けられている。この場合、偶数番目のシンボルでＳＲＳを送信する第１の送信パターンと奇数番目のシンボルでＳＲＳを送信する第２の送信パターンとの２つのパターン（ａ）及び（ｂ）がある。ｅＮＢ２００は、何れか一方のパターンをＵＥ１００に設定する。ＵＥ１００は、ｅＮＢ２００から設定されたＳＲＳ送信シンボルにおいてＳＲＳを送信する。このような間欠的な送信パターンを規定することにより、ＳＲＳ送信を時分割で多重化することができる。具体的には、一方のパターン（ａ）を第１のＵＥに設定し、他方のパターン（ｂ）を第２のＵＥに設定することにより、第１のＵＥ及び第２のＵＥでＳＲＳ送信が衝突することを防止できる。なお、図１４に示すような１シンボル分の間隔に代えて、２又は３シンボル分の間隔を設けてもよい。
【０１４１】
ＵＥ１００は、図１４に示すようなＳＲＳ送信を、ＣＣを切り替えながら行ってもよい。例えば、ＵＥ１００は、１サブフレーム内で、ＣＣ＃０でシンボル＃（ｎ−５）、ＣＣ＃１でシンボル＃（ｎ−３）、ＣＣ＃０（又はＣＣ＃２）でシンボル＃（ｎ−１）といったリソース（奇数シンボル）を利用して、常にギャップを設けながら送信する。この場合、例えば別のＵＥがＣＣ＃０でシンボル＃（ｎ−４）、ＣＣ＃１でシンボル＃（ｎ−２）、ＣＣ＃０（又はＣＣ＃２）といったリソース（偶数シンボル）に設定されることで、直交リソースを確保することが可能となる。
【０１４２】
（変更例３）
上述した第２実施形態及びその変更例において、ＵＥ１００の能力として同時送信可能なＣＣの数が１つであるケースを主として説明した。例えば、上りリンク送信に用いるＣＣの数が１つであり、下りリンク送信に用いるＣＣの数が２以上である。但し、上りリンクについて、２ＣＣを設定しておきながら、同時送信は（データ送信も含めて）１ＣＣのみに限定してもよい。
【０１４３】
しかしながら、ＵＥ１００の能力として同時送信可能なＣＣの数が２以上であるケースもあり得る。以下において、ＵＥ１００が同時送信可能なＣＣ数が２である一例を説明するが、ＵＥ１００が同時送信可能なＣＣ数は３以上であってもよい。
【０１４４】
図１５は、第２実施形態の変更例３を示す第１の図である。図１５に示すように、ＵＥ１００には、３つのＣＣ＃０乃至＃２が設定されている。ＣＣ＃０乃至＃２のそれぞれは、ＴＤＤキャリアである。ＣＣ＃０及びＣＣ＃２は、上りリンクデータの送信に用いるＣＣである。すなわち、ＵＥ１００には、２つのＵＬ  ＣＣを用いるキャリアアグリゲーションである「２ＵＬ  ＣＡ」が設定されている。或いは、設定されるＣＡ数（データ送信に係るＣＣ数）は１であるものの、ＵＥ１００の能力としては２ＵＬ  ＣＡに対応しているケースを想定してもよい。また、ＣＣ＃０乃至ＣＣ＃２は、何れも下りリンクデータの送信に用いるＣＣである。すなわち、ＵＥ１００には、３つのＤＬ  ＣＣを用いるキャリアアグリゲーションである「３ＤＬ  ＣＡ」が設定されている。
【０１４５】
ここで、ＣＣ＃１は、上りリンクデータの送信に用いられずにＳＲＳの送信に用いられるＣＣ（ＳＲＳ  ＣＣ）である。「２ＵＬ  ＣＡ」が設定されたＵＥ１００は、２つのＣＣの同時送信を行うことが許容されるものの、３つのＣＣの同時送信を行うことは許容されない。よって、３つのＣＣでＳＲＳを同時に送信することを防止する仕組みが必要である。
【０１４６】
図１６は、第２実施形態の変更例３を示す第２の図である。図１６に示すように、ｅＮＢ２００は、ＳＲＳの同時送信を行わないＣＣからなるＣＣ群をＵＥ１００に設定する。ＣＣ群は、上りリンクデータ及びＳＲＳの送信に用いられる第１のＣＣ（通常のＵＬ  ＣＣ）と、上りリンクデータの送信に用いられずにＳＲＳの送信に用いられる第２のＣＣ（ＳＲＳ  ＣＣ）と、を含む。なお、ＳＲＳの同時送信を行わないＣＣ群に含まれるＣＣの数は、３以上であってもよい。
【０１４７】
ＵＥ１００は、第１のＣＣ及び第２のＣＣでＳＲＳの同時送信を行わないよう制御する。図１６の例において、ｅＮＢ２００は、ＣＣ＃１をＳＲＳ  ＣＣとしてＵＥ１００に設定すると共に、ＣＣ＃１をＣＣ＃０（通常のＵＬ  ＣＣ）に紐付けるようＵＥ１００に設定する。ＵＥ１００は、ＣＣ＃０とＣＣ＃１との間ではＳＲＳの同時送信を行わない。また、ＣＣ＃０とＣＣ＃１との間の切り替え時には、上述した切り替えギャップを設ける。これにより、ＣＣ＃０とＣＣ＃１との間でＳＲＳの同時送信が行われないため、結果的に３つのＣＣでＳＲＳを同時に送信することを防止できる。但し、ＵＥ１００は、ＣＣ＃０とＣＣ＃２との間ではＳＲＳの同時送信を行ってもよく、ＣＣ＃１とＣＣ＃２との間ではＳＲＳの同時送信を行ってもよい。
【０１４８】
但し、ＵＥ１００がセル端に位置するような場合には、ＵＥ１００の送信電力の制限上、ＳＲＳ送信を単一のＣＣに絞ることが好ましい。このため、ｅＮＢ２００は、ＣＣ＃０乃至＃２をＳＲＳの同時送信を行わないＣＣ群としてＵＥ１００に設定してもよい。
【０１４９】
（変更例４）
上述した第２実施形態及びその変更例において、切り替えギャップの時間長が一定であるケースを主として説明した。しかしながら、ＵＥ１００の送信機の能力及び／又はＣＣ間の周波数間隔に依存して、ＣＣ間の切り替えに要する時間は変化し得る。例えば、周波数方向に連続するＣＣ（ｃｏｎｔｉｇｕｏｕｓ  ＣＣ）間でのキャリア切り替えに比べて、周波数方向に連続しないＣＣ（ｎｏｎ−ｃｏｎｔｉｇｕｏｕｓ  ＣＣ）間でのキャリア切り替えの方が長い時間が必要になり得る。
【０１５０】
よって、ｅＮＢ２００は、ＵＥ１００の能力及び／又はＵＥ１００に設定されたＣＣを考慮して、ＵＥ１００ごとに切り替えギャップの時間長を設定してもよい。すなわち、ｅＮＢ２００は、切り替えギャップの時間長を示す送信パラメータをＵＥ１００に設定する。ＵＥ１００は、一のＣＣでの送信と他のＣＣでの送信との間のキャリア切り替えに要する時間を示す能力情報をｅＮＢ２００に通知してもよい。ｅＮＢ２００は、ＵＥ１００から通知された能力情報に基づいて、当該ＵＥ１００に切り替えギャップの時間長を設定してもよい。
【０１５１】
或いは、ＵＥ１００は、自ＵＥの能力及び／又は自ＵＥに設定されたＣＣを考慮して、切り替えギャップの時間長を自律的に設定してもよい。この場合、ＵＥ１００は、自律的に設定した切り替えギャップに関する情報（時間長及び／又はシンボル位置）をｅＮＢ２００に通知してもよい。或いは、ＵＥ１００は、自ＵＥが設定を要求する切り替えギャップに関する情報（時間長及び／又はシンボル位置）をｅＮＢ２００に通知してもよい。ｅＮＢ２００は、ＵＥ１００から要求された切り替えギャップに基づいてＵＥ１００に切り替えギャップを設定してもよい。
【０１５２】
（変更例５）
上述した第２実施形態及びその変更例において、周期的に送信されるＳＲＳ（すなわち、Ｐｅｒｉｏｄｉｃ  ＳＲＳ）を用いるケースを主として説明した。しかしながら、ＳＲＳは、非周期的（Ａｐｅｒｉｏｄｉｃ）に送信されてもよい。
【０１５３】
一般的に、非周期的なＳＲＳの送信は、次の手順で行われる。まず、ｅＮＢ２００は、非周期的なＳＲＳの送信パラメータをＲＲＣシグナリングによりＵＥ１００に設定する。次に、ｅＮＢ２００は、ＳＲＳ送信トリガ（１ビットのフラグ）をＤＣＩによりＵＥ１００に送信する。ＵＥ１００は、ＳＲＳ送信トリガの受信に応じて、送信パラメータに従ったＳＲＳをｅＮＢ２００に送信する。非周期的なＳＲＳの送信パラメータは、ＳＲＳ送信アンテナポートを示すｓｒｓ−ＡｎｔｅｎｎａＰｏｒｔＡｐ、ＳＲＳ送信ＲＢ（送信帯域幅及び周波数位置）を示すｓｒｓ−ＢａｎｄｗｉｄｔｈＡｐ及びｆｒｅｑＤｏｍａｉｎＰｏｓｉｔｉｏｎＡｐ、ＳＲＳ送信サブキャリアを示すｔｒａｎｓｍｉｓｓｉｏｎＣｏｍｂＡｐ、ＳＲＳサイクリックシフトを示すｃｙｃｌｉｃＳｈｉｆｔＡｐを含む。
【０１５４】
これに対し、第２実施形態の変更例５において、ｅＮＢ２００は、ＳＲＳ送信トリガの送信時に、ＳＲＳ送信ＣＣ、ＳＲＳ送信ＲＢ、ＳＲＳ送信シンボル位置のうち少なくとも１つをＵＥ１００に通知する。ＳＲＳ送信ＣＣは、ＳＲＳの送信に用いるＣＣである。ＳＲＳ送信ＲＢは、ＳＲＳの送信に用いる１又は複数のＲＢである。ＳＲＳ送信シンボルは、ＳＲＳの送信に用いるシンボル位置（シンボル番号）である。これらのパラメータは、ＤＣＩによりｅＮＢ２００からＵＥ１００に送信される。これらのパラメータを暗示的なＳＲＳ送信トリガとして取り扱ってもよい。或いは、これらのパラメータは、ＭＡＣ制御エレメントによりｅＮＢ２００からＵＥ１００に送信されてもよい。
【０１５５】
ＵＥ１００は、ＳＲＳ送信トリガの受信に応じて、ｅＮＢ２００からＤＣＩ（又はＭＡＣ制御エレメント）により指定された送信パラメータに従ったＳＲＳをｅＮＢ２００に送信する。ＵＥ１００は、ＳＲＳ送信トリガ時に指定された送信パラメータに加えて、ＲＲＣシグナリングにより設定されたパラメータの少なくとも一部に基づいてＳＲＳを送信してもよい。ＵＥ１００は、ＲＲＣシグナリングにより設定されたパラメータの一部に代えて、ＳＲＳ送信トリガ時に指定された送信パラメータを適用してもよい。
【０１５６】
或いは、ＣＣ毎に非周期的ＳＲＳの設定がＲＲＣシグナリングで設定され、ＤＣＩではＣＣ指定情報を含むトリガが通知されてもよい。具体的には、ｅＮＢ２００は、非周期的ＳＲＳの送信パラメータをＣＣと対応付けてＲＲＣシグナリングによりＵＥ１００に設定する。次に、ｅＮＢ２００は、ＣＣを示す情報を含むＳＲＳ送信トリガをＤＣＩによりＵＥ１００に送信する。ＵＥ１００は、ＳＲＳ送信トリガで示されるＣＣに対応する送信パラメータを用いて非周期的ＳＲＳを送信する。
【０１５７】
（変更例６）
上述した第２実施形態及びその変更例において、周期的なＳＲＳを送信するＵＥ１００が複数存在するようなケースでは、ＳＲＳ送信リソース及びＳＲＳ直交系列の割り当て制御が複雑化する虞がある。また、周期的なＳＲＳと非周期的なＳＲＳとを併用するようなケースでは、周期的なＳＲＳの送信を一時的に停止させることができることが好ましい。
【０１５８】
図１７は、第２実施形態の変更例６を示す図である。図１７に示すように、ｅＮＢ２００は、ＳＲＳを周期的に送信するＵＥ１００に対して、ＳＲＳの送信の停止を指示する情報を送信する。ＵＥ１００は、ｅＮＢ２００からの指示に応じて、ＳＲＳの送信を停止する。ｅＮＢ２００は、ＳＲＳの送信停止（ｄｅａｃｔｉｖａｔｉｏｎ）をＵＥ１００に指示した後、ＳＲＳの送信再開（ａｃｔｉｖａｔｉｏｎ）をＵＥ１００に指示してもよい。この場合、ＵＥ１００は、ｅＮＢ２００からの指示に応じて、ＳＲＳの送信を再開する。或いは、ＳＲＳの送信停止の指示は、１回限りの送信停止（ｏｎｅ−ｓｈｏｔ  ｄｅａｃｔｉｖａｔｉｏｎ）の指示であってもよい。或いは、ＳＲＳの送信停止の指示は、送信を停止する期間を指定する情報を含んでもよい。この場合、ＵＥ１００は、当該期間の経過後にＳＲＳの送信を再開する。ｅＮＢ２００の指示は、ＤＣＩにより行われてもよいし、ＭＡＣ制御エレメントにより行われてもよい。
【０１５９】
（変更例７）
上述した第２実施形態及びその変更例において、ＳＲＳを送信するＣＣを切り換えるために切り替えギャップを設定するケースを主として説明した。しかしながら、一方のＣＣでＳＲＳを送信するシンボルと他方のＣＣで上りリンクデータを送信するシンボルとは時間方向において隣接し得る。この場合、複数ＣＣの同時送信ができないＵＥ１００は、ＣＣを切り換えるために切り替えギャップを設ける必要があり得る。
【０１６０】
第２実施形態の変更例７において、ＵＥ１００は、第１のＣＣでＳＲＳを送信する処理と、第２のＣＣで上りリンクデータを送信する処理と、を行う。ＵＥ１００は、ＳＲＳを送信すべき第１のシンボルと上りリンクデータを送信すべき第２のシンボルとが時間方向において隣接する場合、第１のシンボル及び第２のシンボルのうち一方の送信を停止する。例えば、ＵＥ１００は、上りリンクデータの最初のシンボル又は上りリンクデータの最後のシンボルの送信を停止し、送信を停止したシンボル区間を切り替えギャップとして用いる。或いは、ＵＥ１００は、上りリンクデータの送信を優先するために、ＳＲＳの送信（第１のシンボル）を停止してもよい。或いは、第２実施形態の変更例１で説明したように、切り替えギャップを設けるＣＣの決定ルールをｅＮＢ２００がＵＥ１００に設定してもよい。
【０１６１】
［第３実施形態］
以下において、第３実施形態について、第１実施形態及び第２実施形態との相違点を主として説明する。上述した第１実施形態及び第２実施形態において、ＵＥ１００とｅＮＢ２００との間の同期及びＲＲＣ接続が確立した後における動作を説明した。一方、第３実施形態は、ＵＥ１００とｅＮＢ２００との間の同期又はＲＲＣ接続を確立するためのランダムアクセス手順に関する実施形態である。なお、第３実施形態は、必ずしもＴＤＤ方式を前提としない。
【０１６２】
（ランダムアクセス手順）
ランダムアクセス手順の概要について説明する。図１８は、一般的なランダムアクセス手順を示すシーケンス図である。図１８の初期状態において、ＵＥ１００は、ｅＮＢ２００のセルにおいてＲＲＣアイドルモード又はＲＲＣコネクティッドモードである。ＵＥ１００は、ＲＲＣアイドルモードにおいて初期接続（Ｉｎｉｔｉａｌ  ａｃｃｅｓｓ）を行うために、図１８に示すランダムアクセス手順を行う。或いは、ＵＥ１００は、ＲＲＣコネクティッドモードにおいて上りリンク同期状態が非同期（Ｎｏｎ−ｓｙｎｃｈｒｏｎｉｓｅｄ）である場合、上りリンク送信を行うためにランダムアクセス手順を行ってもよい。
【０１６３】
図１８に示すように、ステップＳ３０１において、ＵＥ１００は、ＲＡＣＨによりランダムアクセスプリアンブル（ＲＡ  Ｐｒｅａｍｂｌｅ）をｅＮＢ２００に送信する。なお、ＲＡＣＨとして用いることが可能な上りリンク無線リソース（ＰＲＡＣＨリソース）は、例えば１無線リソースにつき１つのサブフレームの割合で設けられ、周波数方向における中央の６つのリソースブロックにより構成される。ＰＲＡＣＨリソースは、ＵＥ１００からのランダムアクセスプリアンブルを伝送するためのものであるため、データの伝送には使用されない。また、「ＲＡ  Ｐｒｅａｍｂｌｅ」は、Ｍｓｇ１と称されることがある。「ＲＡ  Ｐｒｅａｍｂｌｅ」は、ＭＡＣ層においてＵＥ１００からｅＮＢ２００へのランダムアクセスを行うための信号である。ｅＮＢ２００は、「ＲＡ  Ｐｒｅａｍｂｌｅ」を受信する。
【０１６４】
ステップＳ３０２において、ｅＮＢ２００は、ＤＬ−ＳＣＨ（ＰＤＳＣＨ）によりランダムアクセス応答（ＲＡ  Ｒｅｓｐｏｎｓｅ）をＵＥ１００に送信する。「ＲＡ  Ｒｅｓｐｏｎｓｅ」は、ＭＡＣ制御要素（ＭＡＣ  ＣＥ）の一種であり、Ｍｓｇ２と称されることがある。具体的には、ｅＮＢ２００は、ＵＥ１００から受信した「ＲＡ  Ｐｒｅａｍｂｌｅ」に基づいて、ＵＥ１００との間の上りリンク遅延を推定する。また、ｅＮＢ２００は、ＵＥ１００に割り当てる上りリンク無線リソースを決定する。そして、ｅＮＢ２００は、遅延推定の結果に基づくタイミング補正値（ＴＡ：Ｔｉｍｉｎｇ  Ａｄｖａｎｃｅ）、無線リソースの割り当て情報（ＵＬ  ｇｒａｎｔ）、プリアンブル識別子（Ｐｒｅａｍｂｌｅ  ＩＤ）、及び「Ｔｅｍｐｏｒａｒｙ  Ｃ−ＲＮＴＩ」を含む「ＲＡ  Ｒｅｓｐｏｎｓｅ」をＵＥ１００に送信する。なお、「Ｐｒｅａｍｂｌｅ  ＩＤ」は、ＵＥ１００から受信した「ＲＡ  Ｐｒｅａｍｂｌｅ」の信号系列を示すＩＤである。また、物理層（ＰＤＣＣＨ）において、「ＲＡ  Ｒｅｓｐｏｎｓｅ」の送信には専用のＲＮＴＩ（ＲＡ−ＲＮＴＩ）が用いられる。ＵＥ１００は、「ＲＡ  Ｒｅｓｐｏｎｓｅ」を受信する。
【０１６５】
ステップＳ３０３において、ＵＥ１００は、「ＲＡ  Ｒｅｓｐｏｎｓｅ」に基づいてＵＬ−ＳＣＨ（ＰＵＳＣＨ）によりｅＮＢ２００に上りリンク送信（Ｓｃｈｅｄｕｌｅｄ  Ｔｒａｎｓｍｉｓｓｉｏｎ）を行う。「Ｓｃｈｅｄｕｌｅｄ  Ｔｒａｎｓｍｉｓｓｉｏｎ」は、Ｍｓｇ３と称されることがある。初期接続（Ｉｎｉｔｉａｌ  ａｃｃｅｓｓ）の場合、「Ｓｃｈｅｄｕｌｅｄ  Ｔｒａｎｓｍｉｓｓｉｏｎ」は、「ＲＲＣ  Ｃｏｎｎｅｃｔｉｏｎ  Ｒｅｑｕｅｓｔ」メッセージである。それ以外の場合（すなわち、ＵＥ１００にＣ−ＲＮＴＩが割り当てられている場合）、「Ｓｃｈｅｄｕｌｅｄ  Ｔｒａｎｓｍｉｓｓｉｏｎ」は、ＵＥ１００のＣ−ＲＮＴＩを含むメッセージである。ｅＮＢ２００は、「Ｓｃｈｅｄｕｌｅｄ  Ｔｒａｎｓｍｉｓｓｉｏｎ」を受信する。
【０１６６】
ステップＳ３０４において、ｅＮＢ２００は、競合解決（Ｃｏｎｔｅｎｔｉｏｎ  Ｒｅｓｏｌｕｔｉｏｎ）メッセージをＵＥ１００に送信する。「Ｃｏｎｔｅｎｔｉｏｎ  Ｒｅｓｏｌｕｔｉｏｎ」メッセージは、Ｍｓｇ４と称されることがある。「Ｃｏｎｔｅｎｔｉｏｎ  Ｒｅｓｏｌｕｔｉｏｎ」メッセージは、ステップＳ３０３でＵＥ１００から受信したメッセージの内容を含む。初期接続（Ｉｎｉｔｉａｌ  ａｃｃｅｓｓ）の場合、物理層（ＰＤＣＣＨ）において、「Ｃｏｎｔｅｎｔｉｏｎ  Ｒｅｓｏｌｕｔｉｏｎ」メッセージの送信には「Ｔｅｍｐｏｒａｒｙ  Ｃ−ＲＮＴＩ」が用いられる。ＵＥ１００にＣ−ＲＮＴＩが割り当てられている場合、物理層（ＰＤＣＣＨ）において、「Ｃｏｎｔｅｎｔｉｏｎ  Ｒｅｓｏｌｕｔｉｏｎ」メッセージの送信には「Ｃ−ＲＮＴＩ」が用いられる。ＵＥ１００は、「Ｃｏｎｔｅｎｔｉｏｎ  Ｒｅｓｏｌｕｔｉｏｎ」メッセージを受信する。
【０１６７】
（第３実施形態に係る動作）
次に、第３実施形態に係る動作について説明する。第３実施形態に係るｅＮＢ２００は、ＵＥ１００からランダムアクセスプリアンブルを受信する処理と、ランダムアクセスプリアンブルに対応するランダムアクセス応答を、ＵＥ個別の復調用参照信号と共にＵＥ１００に送信する処理と、を行う。ＵＥ個別の復調用参照信号は、ＵＥ−ｓｐｅｃｉｆｉｃ  ＲＳと称される。ＵＥ−ｓｐｅｃｉｆｉｃ  ＲＳは、ｅＮＢ２００がＵＥ１００に割り当てた割当無線リソース（ＰＤＳＣＨリソース）に含まれる。すなわち、ＵＥ−ｓｐｅｃｉｆｉｃ  ＲＳは、ＵＥ１００に対する下りリンクデータの送信に用いるアンテナ及び割当無線リソースにおいて送信される。また、ＵＥ−ｓｐｅｃｉｆｉｃ  ＲＳには、対応する下りリンクデータと同様な下りリンクの送信ウェイトが適用される。これにより、ランダムアクセス応答（Ｍｓｇ２）の段階からＭＩＭＯ又はビームフォーミング等による高度なＰＤＳＣＨ送信を行うことが可能となる。
【０１６８】
第３実施形態において、ｅＮＢ２００は、ランダムアクセスプリアンブルを用いたチャネル推定結果に基づいて、ＵＥ１００に対する下りリンクの送信ウェイトを導出する処理と、下りリンクの送信ウェイトを用いて、ランダムアクセス応答をＵＥ−ｓｐｅｃｉｆｉｃ  ＲＳと共にＵＥ１００に送信する処理と、を行う。
【０１６９】
第３実施形態において、ランダムアクセス応答の送信に用いる下りリンクリソースブロックは、ランダムアクセスプリアンブルの送信に用いられた上りリンクリソースブロックと周波数方向において重複してもよい。この場合、ｅＮＢ２００は、下りリンクリソースブロックの割り当て情報をＵＥ１００に送信することなく、ランダムアクセス応答をＵＥ１００に送信してもよい。換言すると、ｅＮＢ２００は、ＰＤＣＣＨ送信を省略して、ランダムアクセス応答の送信（ＰＤＳＣＨ送信）を行う。
【０１７０】
図１９は、第３実施形態に係る動作の一例を示すシーケンス図である。ここでは、上述した一般的なランダムアクセス手順との相違点を主として説明する。
【０１７１】
図１９に示すように、ステップＳ３１１において、ＵＥ１００は、ＰＲＡＣＨリソースに含まれる上りリンクリソースブロック（ここでは、リソースブロック＃１）によりランダムアクセスプリアンブル（ＲＡ  Ｐｒｅａｍｂｌｅ）をｅＮＢ２００に送信する。ｅＮＢ２００は、「ＲＡ  Ｐｒｅａｍｂｌｅ」を受信する。
【０１７２】
第３実施形態において、ＵＥ１００は、「ＲＡ  Ｐｒｅａｍｂｌｅ」を送信した後、ＰＤＳＣＨ受信を試みる。具体的には、ＵＥ１００は、「ＲＡ  Ｐｒｅａｍｂｌｅ」の送信に用いた上りリンクリソースブロックと同じリソースブロック（リソースブロック＃１）、かつ、ランダムアクセス応答（ＲＡ  Ｒｅｓｐｏｎｓｅ）の受信が期待される候補タイミングにおいて、ＰＤＳＣＨ受信を試みる。
【０１７３】
ステップＳ３１２において、ｅＮＢ２００は、ＵＥ１００から受信した「ＲＡ  Ｐｒｅａｍｂｌｅ」を用いて、ＵＥ１００との間の上りリンク遅延を推定する。第３実施形態において、ｅＮＢ２００は、ＵＥ１００から受信した「ＲＡ  Ｐｒｅａｍｂｌｅ」を用いてチャネル推定を行う。なお、「ＲＡ  Ｐｒｅａｍｂｌｅ」を用いたチャネル推定は、「ＲＡ  Ｐｒｅａｍｂｌｅ」が伝搬路を経由する際に受けた減衰量及び位相回転量等を推定する処理であるため、上りリンク遅延を推定する処理とは異なる。そして、ｅＮＢ２００は、チャネルの可逆性を利用して下りリンクＣＳＩを推定する。下りリンクＣＳＩは、下りリンクの送信ウェイト（プリコーダ）を含む。
【０１７４】
ステップＳ３１３において、ｅＮＢ２００は、ＰＤＳＣＨにより、下りリンクの送信ウェイト（プリコーダ）を適用して「ＲＡ  Ｒｅｓｐｏｎｓｅ」をＵＥ１００に送信する。第３実施形態において、ｅＮＢ２００は、「ＲＡ  Ｐｒｅａｍｂｌｅ」の送信に用いられた上りリンクリソースブロックの一部又は同じリソースブロック（リソースブロック＃１）を用いて、「ＲＡ  Ｒｅｓｐｏｎｓｅ」をＵＥ１００に送信する。その際、ｅＮＢ２００は、ＵＥ１００に対するＰＤＣＣＨ送信を行わない。また、ｅＮＢ２００は、ＰＤＳＣＨ送信の際に、下りリンクの送信ウェイト（プリコーダ）を適用してＵＥ−ｓｐｅｃｉｆｉｃ  ＲＳを送信する。
【０１７５】
上述したように、ＵＥ１００は、「ＲＡ  Ｐｒｅａｍｂｌｅ」の送信に用いた上りリンクリソースブロックと同じリソースブロック（リソースブロック＃１）のＰＤＳＣＨの受信を試みることにより、ＰＤＣＣＨ受信を行うことなく「ＲＡ  Ｒｅｓｐｏｎｓｅ」を受信する。また、ＵＥ１００は、ＵＥ−ｓｐｅｃｉｆｉｃ  ＲＳを用いたチャネル推定により「ＲＡ  Ｒｅｓｐｏｎｓｅ」を復調する。その後の動作については、上述した一般的なランダムアクセス手順と同様である。
【０１７６】
［その他の実施形態］
上述した第１実施形態乃至第３実施形態において、インターリーブ分割多重アクセス（ＩＤＭＡ）について特に触れなかった。しかしながら、第１実施形態乃至第３実施形態にＩＤＭＡを適用してもよい。ＩＤＭＡは、異なるＵＥ１００の信号をＵＥ固有のインターリーバによって区別及び分離する技術である。例えば、第１実施形態に係るＡＣＫ／ＮＡＣＫにＩＤＭＡを適用することにより、ＵＥ多重数を増加させてもよい。
【０１７７】
上述した第１実施形態乃至第３実施形態は、別個独立に実施してもよいし、２以上の実施形態を組み合わせて実施してもよい。２以上の実施形態を組み合わせる場合、一の実施形態の一部を他の実施形態の一部と置換してもよい。例えば、第３実施形態に係るＰＲＡＣＨ（ランダムアクセスプリアンブル）の送信方法を第２実施形態に係るＳＲＳの送信に適用してよい。
【０１７８】
上述した実施形態において、移動通信システムとしてＬＴＥシステムを例示した。しかしながら、本発明はＬＴＥシステムに限定されない。ＬＴＥシステム以外の移動通信システムに本発明を適用してもよい。
【０１７９】
［相互参照］
本願は米国仮出願第６２／２１２０２４号（２０１５年８月３１日出願）の優先権を主張し、その内容の全てが本願明細書に組み込まれている。
【産業上の利用可能性】
【０１８０】
本願発明は通信分野において有用である。
【図１】
2017038337.tif 000003
【図２】
2017038337.tif 000004
【図３】
2017038337.tif 000005
【図４】
2017038337.tif 000006
【図５】
2017038337.tif 000007
【図６】
2017038337.tif 000008
【図７】
2017038337.tif 000009
【図８】
2017038337.tif 000010
【図９】
2017038337.tif 000011
【図１０】
2017038337.tif 000012
【図１１】
2017038337.tif 000013
【図１２】
2017038337.tif 000014
【図１３】
2017038337.tif 000015
【図１４】
2017038337.tif 000016
【図１５】
2017038337.tif 000017
【図１６】
2017038337.tif 000018
【図１７】
2017038337.tif 000019
【図１８】
2017038337.tif 000020
【図１９】
2017038337.tif 000021
【国際調査報告】
2017038337.tif 000022
2017038337.tif 000023
2017038337.tif 000024
2017038337.tif 000025
2017038337.tif 000026
2017038337.tif 000027
2017038337.tif 000028
2017038337.tif 000029
2017038337.tif 000030
2017038337.tif 000031